(57)【要約】  適応アップリンク・パイロット多重化スキームを促進するシステム及び方法論が記述される。種々の実施の形態において、周波数位置及びパイロット・チャネル帯域幅は、多重化されるべきストリームの数のようなアップリンク・チャネル・データに基づいて、時間的にブロック内で適応的に変更されうる。従って、提供される適応アップリンク・パイロット多重化スキームは、改善されたチャネル評価及び干渉の抑制のためにブロック内にパイロットの改善された送信電力効率及びパイロットの直交性のためのシングルキャリア波形を維持しながら、柔軟性のあるアップリンク・パイロット割当てスキームを提供する。
2010506543.tif 000002
【特許請求の範囲】
【請求項１】
無線通信システムにおけるパイロット多重化のための方法であって、
基地局においてアップリンク・パイロット・チャネル情報を決定すること、
前記アップリンク・パイロット・チャネル情報の所定の関数に従ってブロック当たりのパイロット・チャネル帯域幅及び周波数位置を時間的に変更することによってアップリンク・パイロットを多重化することを促進するために、前記アップリンク・パイロット・チャネル情報を１つ又は複数の無線端末に送信すること、
及び、前記所定の関数に従って前記多重化されたアップリンク・パイロットを受信しかつ逆多重化すること、
を備える方法。
【請求項２】
前記アップリンク・パイロット・チャネル情報を決定することは、多重化されるべき１つ又は複数のアクテイブ・ストリームの数を決定することを含む、請求項１の方法。
【請求項３】
前記アップリンク・パイロット・チャネル情報を決定することは、利用可能なリソース・ブロックの数を決定することを含む、請求項１の方法。
【請求項４】
前記アップリンク・パイロット・チャネル情報を決定することは、開始周波数位置を決定することを含む、請求項１の方法。
【請求項５】
各アクテイブ・ストリームに対する前記多重化されたアップリンク・パイロットの周波数位置は、各ブロックにおける連続周波数ブロックを形成するために前記ブロックを横切って時間的に周期的にシフトされる、請求項２の方法。
【請求項６】
無線通信システムにおけるパイロット多重化のための方法であって、
基地局からアップリンク・パイロット・チャネル情報を受信すること、
前記アップリンク・パイロット・チャネル情報の所定の関数に従って無線端末においてブロックごとのパイロット・チャネル帯域幅及び周波数位置を時間的に変更することによってアップリンク・パイロットを多重化すること、
及び、前記アップリンク・パイロットを送信すること、
を備える通信装置。
【請求項７】
前記アップリンク・パイロット・チャネル情報を受信することは、多重化されるべきある数の１つ又は複数のアクテイブ・ストリームを受信することを含む、請求項６の方法。
【請求項８】
前記アップリンク・パイロット・チャネル情報を受信することは、ある数の利用可能リソース・ブロックを受信することを含む、請求項６の方法。
【請求項９】
前記アップリンク・パイロット・チャネル情報を受信することは、開始周波数位置を受信することを含む、請求項６の方法。
【請求項１０】
前記アップリンク・パイロットを送信することは、ブロックごとの変化するパイロット・チャネル帯域幅及び周波数位置を有する前記アップリンク・パイロットを送信することを含む、請求項６の方法。
【請求項１１】
各アクテイブ・ストリームに対する前記多重化されたアップリンク・パイロットの周波数位置は、各ブロックにおける連続周波数ブロックを形成するために前記ブロックを横切って時間的に周期的にシフトされる、請求項７の方法。
【請求項１２】
前記アクテイブ・ストリーム当たりのアップリンク・パイロットは、ブロックごとに直交態様で周波数分割多重化される、請求項７の方法。
【請求項１３】
アップリンク・パイロット・チャネル情報を決定しかつ送信する、適応的に多重化されたパイロットを受信する、前記アップリンク・パイロット・チャネル情報の所定の関数に従って前記受信されたパイロットを逆多重化するための命令を保持するメモリ、
及び、前記メモリ内の前記命令を実行するように構成されているプロセッサ、
を備える通信装置。
【請求項１４】
前記多重化されたパイロットは、ブロックごとの時間的に変化するパイロット・チャネル帯域幅及び周波数位置を有するパイロットを含む、請求項１３の通信装置。
【請求項１５】
前記アップリンク・パイロット・チャネル情報を決定するための命令は、多重化されるべき１つ又は複数のアクテイブ・ストリームの数、利用可能リソース・ブロックの数、及び開始周波数位置のうちの１つを決定するための命令を含む、請求項１３の通信装置。
【請求項１６】
各アクテイブ・ストリームに対する前記多重化されたパイロットの周波数位置は、連続周波数ブロックを形成するために前記ブロックを横切って時間的に周期的にシフトされる、請求項１４の通信装置。
【請求項１７】
アップリンク・パイロット・チャネル情報を受信しかつ処理する、前記アップリンク・パイロット・チャネル情報に基づいてブロックごとのパイロット帯域幅及び周波数位置を周期的に変更することによってパイロットを適応的に多重化する、及び前記適応的に多重化されたパイロットを送信するための命令を保持するメモリ、
及び、前記メモリ内の前記命令を実行するように構成されたプロセッサ、
を備える通信装置。
【請求項１８】
前記アップリンク・パイロット・チャネル情報を受信しかつ処理するための命令は、多重化されるべき１つ又は複数のアクテイブ・ストリームの数、利用可能リソース・ブロックの数、及びパイロット・チャネル開始周波数位置のうちの少なくとも１つを受信しかつ処理するための命令をさらに含む、請求項１７の通信装置。
【請求項１９】
前記送信するための命令は、ブロックごとの変化するパイロット・チャネル帯域幅及び周波数を有する適応的に多重化されたパイロットを送信するための命令をさらに含む、請求項１７の通信装置。
【請求項２０】
前記パイロットを適応的に多重化するための命令は、ブロック当たり直交態様でアクテイブ・ストリームごとのアップリンク・パイロットを周波数分割多重化するための命令を含む、請求項１７の通信装置。
【請求項２１】
基地局においてアップリンク・パイロット・チャネル情報を決定するための手段、
前記アップリンク・パイロット・チャネル情報を送信するための手段；
適応的に多重化されたパイロットを受信するための手段、
及び、前記アップリンク・パイロット・チャネル情報の所定の関数に従って前記受信されたパイロットを逆多重化するための手段、
を備えた通信装置。
【請求項２２】
ブロックごとの時間的に変化するパイロット・チャネル帯域幅及び周波数位置を有するパイロットを含む、請求項２１の通信装置。
【請求項２３】
前記アップリンク・パイロット・チャネル情報は、多重化されるべき１つ又は複数のアクテイブ・ストリームの数、利用可能リソース・ブロックの数、及びパイロット開始周波数位置のうちの少なくとも１つを含む、請求項２１の通信装置。
【請求項２４】
ブロック当たり直交態様でアクテイブ・パイロットごとに各パイロットを周波数分割多重化するための手段をさらに備える、請求項２１の通信装置。
【請求項２５】
各アクテイブ・ストリームに対する前記多重化されたパイロットの周波数位置は、時間的に連続周波数ブロックを形成するために前記ブロックを横切って周期的にシフトされる、請求項２２の通信装置。
【請求項２６】
アップリンク・パイロット・チャネル情報を受信しかつ処理するための手段、
前記アップリンク・パイロット・チャネル情報に応じてブロックごとのパイロット帯域幅及び周波数位置を周期的に変更することによってアップリンク・パイロットを適応的に多重化するための手段、
及び、前記適応的に多重化されたアップリンク・パイロットを送信するための手段、
を備える通信装置。
【請求項２７】
前記アップリンク・パイロット・チャネル情報を受信しかつ処理するための手段は、多重化されるべき１つ又は複数のアクテイブ・ストリームの数、利用可能リソース・ブロックの数、及びパイロット・チャネル開始周波数位置のうちの少なくとも１つを受信しかつ処理するための手段をさらに含む、請求項２６の通信装置。
【請求項２８】
前記送信するための手段は、短いブロックごとの変化するパイロット・チャネル帯域幅及び周波数位置を有する適応的に多重化されたパイロットを送信するための手段を含む、請求項２６の通信装置。
【請求項２９】
前記パイロットを適応的に多重化するための手段は、ブロックごとに直交態様でアクテイブ・ストリームごとのパイロットを周波数分割多重化するための手段を含む、請求項２６の通信装置。
【請求項３０】
アップリンク・パイロット・チャネル情報を決定しかつ送信する、適応的に多重化されたパイロットを受信する、及び前記アップリンク・パイロット・チャネル情報の所定の関数に従って前記受信されたパイロットを逆多重化するための命令を格納された機械読取り可能媒体。
【請求項３１】
時間的にブロックごとの変化するパイロット・チャネル帯域幅及び周波数位置を有する前記受信されたパイロットを逆多重化するために格納されたコンピュータ実行可能命令をさらに備える、請求項３０の機械読取り可能媒体。
【請求項３２】
多重化されるべき１つ又は複数のアクテイブ・ストリームの数、利用可能リソース・ブロックの数、及び開始周波数位置のうちの１つを決定するために格納されたコンピュータ実行可能命令をさらに備える、請求項３０の機械読取り可能媒体。
【請求項３３】
各アクテイブ・ストリームに対する時間的にブロック当たりの規則的にシフトされた周波数位置を有する前記受信されたパイロットを逆多重化するために格納されたコンピュータ実行可能命令をさらに備える、請求項３１の機械読取り可能媒体。
【請求項３４】
アップリンク・パイロット・チャネル情報を受信しかつ処理する、前記アップリンク・パイロット・チャネル情報に基づいてブロックごとのパイロット帯域幅及び周波数位置を規則的に変更することによってパイロットを適応的に多重化する、及び前記適応的に多重化されたパイロットを送信するためのコンピュータ実行可能命令を格納した機械読取り可能媒体。
【請求項３５】
多重化されるべき１つ又は複数のアクテイブ・ストリームの数、利用可能リソース・ブロックの数、及びパイロット・チャネル開始周波数位置のうちの少なくとも１つを受信しかつ処理するために格納されたコンピュータ実行可能命令をさらに備える、請求項３４の機械読取り可能媒体。
【請求項３６】
ブロックごとの変化するパイロット・チャネル帯域幅及び周波数位置を有する適応的に多重化さえたパイロットを送信するために格納されたコンピュータ実行可能命令をさらに備える、請求項３４の機械読取り可能媒体。
【請求項３７】
ブロック当たりに直交的にアクテイブ・ストリームごとのアップリンク・パイロットを周波数分割多重化するために格納されたコンピュータ実行可能命令をさらに備える、請求項３４の機械読取り可能媒体。
【請求項３８】
無線通信システムにおいて、
基地局においてアップリンク・パイロット・チャネル情報を決定する、
前記アップリンク・パイロット・チャネル情報の所定の関数に従って時間的にブロックごとのパイロット・チャネル帯域幅及び周波数位置を変更することによってアップリンク・パイロットの多重化を促進するために、前記アップリンク・パイロット・チャネル情報を１つ又は複数の無線端末に送信する、
そして、前記所定の関数に従って前記多重化されたアップリンク・パイロットを受信しかつ逆多重化するように構成されたプロセッサを備える装置。
【請求項３９】
前記多重化されたパイロットは、時間的にブロックごとの変化するパイロット・チャネル帯域幅及び周波数位置を有するパイロットを含む、請求項３８の通信装置。
【請求項４０】
前記アップリンク・パイロット・チャネル情報は、多重化されるべき１つ又は複数のアクテイブ・ストリームの数、利用可能リソース・ブロックの数、及び開始周波数位置のうちの少なくとも１つを含む、請求項３８の通信装置。
【請求項４１】
各アクテイブ・ストリームに対する前記多重化されたパイロットの周波数位置は、連続周波数ブロックを形成するために時間的に前記ブロックを横切って周期的にシフトされる、請求項３９の通信装置。
【請求項４２】
無線通信システムにおいて、
基地局からアップリンク・パイロット・チャネル情報を受信する、
前記アップリンク・パイロット・チャネル情報の所定の関数に従って無線端末において時間的にブロックごとのパイロット・チャネル帯域幅及び周波数位置を変更することによってアップリンク・パイロットを多重化する、
そして、アップリンク・パイロットを送信するように構成されたプロセッサを備える装置
【請求項４３】
前記プロセッサは、多重化されるべき１つ又は複数のアクテイブ・ストリームの数、利用可能リソース・ブロックの数、及びパイロット・チャネル開始周波数位置のうちの少なくとも１つを受信しかつ処理するようにさらに構成される、請求項４２の通信装置。
【請求項４４】
前記プロセッサは、ブロックごとの変化するパイロット・チャネル帯域幅及び周波数位置を有する適応的に多重化されたパイロットを送信するようにさらに構成される、請求項４２の通信装置。
【請求項４５】
前記プロセッサは、ブロックごとに直交態様でアクテイブ・ストリームごとのアップリンク・パイロットを周波数分割多重化するようにさらに構成される、請求項４２の通信装置。
【発明の詳細な説明】
【技術分野】
【０００１】
下記の記述は、一般的には無線通信に関し、さらに詳細には、アップリンク・パイロット多重化に関する。
【背景技術】
【０００２】
無線通信システムは、種々のタイプの通信を提供するために広く展開され、例えば、音声及び／又はデータが、そのような無線通信システムによって提供されうる。典型的な無線通信システム、すなわちネットワーク）は、複数のユーザに１つ又は複数の共有リソースへのアクセスを提供することができる。例えば、これらのシステムは、利用可能なシステム・リソース（例えば、帯域幅及び送信電力）を共有することにより、複数のユーザとの通信をサポートすることができる多元接続システムであってもよい。そのような多元接続システムの例は、符号分割多元接続（CDMA）システム、時分割多元接続（ＴＤＭＡ）システム、周波数分割多元接続（ＦＤＭＡ）システム、第３世代パートナーシップ・プロジェクト（3rd Generation Partnership Project）（３ＧＰＰ）ロング・ターム・エボリューション（ＬＴＥ）システム、及び直交周波数分割多元接続（ＯＦＤＭＡ）システムを含む。
【０００３】
一般に、無線多元接続通信システムは、複数の無線端末のための同時通信をサポートできる。各端末は、順方向及び逆方向リンク上の送信によって１つ又は複数の基地局と通信する。順方向リンク（又はダウンリンク（ＤＬ））は基地局から端末への通信リンクを指す。また、逆方向リンク（又はアップリンク（ＵＬ））は端末から基地局への通信リンクを指す。そのような通信リンクは、シングル・イン−シングル・アウト（single-in-single-out）、マルチプル・イン−シングル・アウト（multiple-in-single-out）、又はマルチプル・イン−マルチプル・アウト（multiple-in-multiple-out）(MIMO)システムによって確立することができる。
【０００４】
ＭＩＭＯシステムは、データ伝送のために複数の（ＮＴ）送信アンテナ及び複数の（ＮＲ）受信アンテナを使用する。ＮＴ送信及びNR受信アンテナによって形成されたＭＩＭＯチャネルは、ＮＳの独立したチャネルに分解でき、それらのチャネルは空間的チャネルとも呼ばれうる、ただし、Ns≦min｛NT, NR｝である。ＮＳの独立したチャネルの各々は、１つの次元に対応する。複数の送信及び受信アンテナによって生成される付加的な次元が利用される場合には、ＭＩＭＯシステムは改善された性能（例えば、高いスループット及び大きい信頼性）を提供できる。
【０００５】
ＭＩＭＯシステムは、時分割二重（ＴＤＤ）及び周波数分割二重（ＦＤＤ）システムをサポートできる。ＴＤＤシステムでは、相互主義（reciprocity principle）が逆方向リンク・チャネルからの順方向リンク・チャネルの評価を可能にするように、順方向及び逆方向リンク送信が同じ周波数領域上にある。アクセス・ポイントにおいて複数のアンテナが使用可能である場合には、これによって、アクセスポイントが順方向リンク上の送信ビームフォーミング利得を抽出できる。さらに、ＭＩＭＯシステムは、複数の送信及び／又は受信アンテナを有する１又は複数のユーザ（例えば、単一ユーザＭＩＭＯ（ＳＵ−ＭＩＭＯ））又は空間分割多元接続（ＳＤＭＡ）あるいは複数ユーザＭＩＭＯ（ＭＵ−ＭＩＭＯ）をサポートするために空間的に分離された複数のユーザをサポートしてもよい。
【０００６】
ＳＤＭＡ又はＳＵ−ＭＩＭＯに関連する１つの問題は、複数の無線端末又は単一の無線端末からの複数のストリームが、ＳＤＭＡかＳＵ−ＭＩＭＯにおいてそれぞれ同じ帯域幅割当てで多重化される場合、各基準信号、例えば、パイロット・チャネル（ＰＩＣＨ）の構造は、最小平均二乗誤差（ＭＭＳＥ）受信機を用いてチャネル評価を改善しかつ他の無線端末の干渉を抑制するために、互いに直交でなければならない。改善された無線送信電力効率を達成するためにパイロット・チャネル上にシングルキャリア波形を維持することによって、低いピーク対平均比率（ＰＡＲ）が保存されることも望まれる。これは、改善されたモバイルデバイス・バッテリ性能のために特に重要である。
【０００７】
例えば、単一キャリア通信システムでは、チャネル状態を評価しかつ従って受信信号を復調するための受信機に対する基準を提供するために、データ・シンボルに加えてパイロット・シンボルが送信される。シングルキャリア周波数分割多元接続（ＳＣ−ＦＤＭＡ）技術は、ＳＣ−ＦＤＭＡ信号がそれの固有のシングルキャリア構造のために低いピーク−対平均電力比率（ＰＡＰＲ）を有するという点で従来のＯＦＤＭＡ技術に対する利点を提供する。その結果、ＳＣ−ＦＤＭＡは、低いＰＡＰＲが送信出力効率に関して無線端末に非常に役立つアップリンク通信で使用するには特に魅力的である。
【０００８】
しかし、従来のアップリンク・パイロット割当てスキームは、パイロット・チャネル帯域幅を柔軟性なしに割当てる固定の又は対称的なパイロット構造を生ずる。その結果、パイロット直角性の利点を保存しながらシングルキャリア構造を維持する適応性のあるパイロット構造が望まれる。
【発明の概要】
【０００９】
下記は、１つ又は複数の実施の形態の基本的な理解を提供するために、そのような実施の形態の簡略化された概要を提示する。この概要は、すべての意図される実施の形態の広範囲の概観ではなく、すべての実施の形態の重要な又は決定的な要素を識別するものでも、任意の又はすべての実施の形態の範囲を画定するものでもない。それの唯一の目的は、後で提示されるさらに詳細な説明に対する除外として単純化された形式で１つ又は複数の実施の形態のいくつかの概念を提示することである。
【００１０】
１つ又は複数の実施の形態及びそれの対応する開示に従って、種々の態様が適応アップリンク・パイロット多重化の促進に関して記述される。種々の実施の形態において、アップリンク・パイロットは、アップリンク・パイロット・チャネル情報（例えば、多重化されるべきアクテイブ・ストリームの数）の所定の関数として適応的に多重化することができる。
【００１１】
関連する態様に従って、パイロット多重化を促進する方法がここに記述される。その方法は、基地局においてアップリンク・パイロット・チャネル情報を決定することを含んでもよい。さらに、その方法は、アップリンク・パイロット・チャネル情報の所定の関すに従って、ブロックごとのパイロット・チャネル帯域幅及び周波数位置を時間的に変更することによってアップリンク・パイロットの多重化を促進するためにアップリンク・パイロット・チャネル情報を１つ又は複数の無線端末に送信することを含んでもよい。その方法は、所定の関数に従って、多重化されたアップリンク・パイロットを受信しかつ逆多重化することをさらに含む。
【００１２】
本発明の関連する実施の形態では、パイロット多重化のための方法は、基地局からアップリンク・パイロット・チャネル情報を受信することを含んでもよい。例えば、アップリンク・パイロット・チャネル情報は、多重化されるべき１つ又は複数のアクテイブ・ストリームの数、利用可能リソース・ブロックの数、及び／又はパイロット開始周波数位置、それらの任意の組合せ、等を含んでもよい。さらに、その方法は、アップリンク・パイロット・チャネル情報の所定の関数に従って、無線端末において時間的にブロックごとのパイロット・チャネル帯域幅及び周波数位置を変更することによってアップリンク・パイロットを多重化することを備えてもよい。
【００１３】
本発明の他の実施の形態は通信装置に関係する。その通信装置は、アップリンク・パイロット・チャネル情報を決定しかつ送信する、適応的に多重化されたパイロットを受信する、及びアップリンク・パイロット・チャネル情報に従って、受信されたパイロットを逆多重化する命令を保持するメモリを含んでもよい。さらに、その通信装置は、メモリに結合され、メモリに保持された命令を実行するように構成されたプロセッサを含んでもよい。
【００１４】
本発明のさらに他の実施の形態は通信装置に関係する。その通信装置は、アップリンク・パイロット・チャネル情報を受信しかつ処理する、アップリンク・パイロット・チャネル情報に基づいてブロックごとのパイロット帯域幅及び周波数位置を周期的に変更することによってパイロットを適応的に多重化する、そして適応的に多重化されたパイロットを送信する命令を保持するメモリを含んでもよい。さらに、その通信装置は、メモリに結合され、メモリに保持された命令を実行するように構成されたプロセッサを含んでもよい、
本発明の他の実施の形態では、通信装置は、適応アップリンク・パイロット多重化を可能にする。その通信装置は、アップリンク・パイロット・チャネル情報を受信しかつ処理するための手段を含んでもよい。さらに、その通信装置は、アップリンク・パイロット・チャネル情報に応じてブロックごとのパイロット帯域幅及び周波数位置を周期的に変更することによってパイロットを適応的に多重化し、そしてその多重化したパイロットを送信するための手段を含んでもよい。
【００１５】
本発明の関連する実施の形態は、通信装置がアップリンク・パイロットを適応的に多重化できるようにする。その通信装置は、基地局においてアップリンク・パイロット・チャネル情報を決定しかつ送信するための手段を含んでもよい。さらに、その通信装置は、適応的に多重化されたパイロットを受信しかつ逆多重化するための手段を含んでもよい。さらに、その通信装置は、ブロックごとに直交態様でアクテイブ・ストリームごとに各パイロットを周波数分割多重化するための手段を含んでもよい。
【００１６】
さらに他の実施の形態は、アップリンク・パイロット・チャネル情報を決定しかつ送信する、適応的に多重化されたパイロットを受信する、そして、アップリンク・パイロット・チャネル情報の所定の関数に従って、受信されたパイロットを逆多重化する機械実行可能命令を格納した機械読取り可能媒体に関する。関連する実施の形態では、機械読取り可能媒体は、アップリンク・パイロット・チャネル情報を受信しかつ処理する、アップリンク・パイロット・チャネル情報に基づいて、ブロックごとのパイロット帯域幅及び周波数位置を規則的に変更することによってパイロットを適応的に多重化する、そしてその適応的に多重化されたパイロットを送信するための機械実施可能命令を格納する。
【００１７】
本発明の他の実施の形態によれば、無線通信システムにおける装置は、プロセッサを含んでもよく、そのプロセッサは、アクセス・ポイントからアップリンク・パイロット・チャネル・データを受信するように構成されてもよい。そのプロセッサはまた、少なくともアップリンク・パイロット・チャネル・データに基づいて、無線端末において時間的にブロックごとのパイロット・チャネル帯域幅及び周波数位置を変更することによってアップリンク・パイロットを多重化するように構成されてもよい。そのプロセッサはさらに、アップリンク・パイロットを送信するように構成されてもよい。
【００１８】
本発明の関連する実施の形態によれば、無線通信システムにおける装置は、プロセッサを含んでいてもよく、そのプロセッサは、アクセス・ポイントのアップリンク・パイロット・チャネル・データを決定するように構成されてもよい。そのプロセッサはまた、少なくともアップリンク・パイロット・チャネル・データに基づいて、時間てきにブロックごとのパイロット・チャネル帯域幅及び周波数位置を変更することにより、アップリンク・パイロットの多重化を促進するために、アップリンク・パイロット・チャネル情報を１つ又は複数の無線端末に送信するように構成されてもよい。本発明の他の態様によれば、そのプロセッサは、関数に従って、多重化されたアップリンク・パイロットを受信しかつ逆多重化するように構成されてもよい。
【００１９】
上記の及び関連する目的の達成のために、１つ又は複数の実施の形態は、以下に詳細に記述されかつ請求項に詳細に指摘されている特徴を含む。下記の記述及び添付図面は、１つ又は複数の実施の形態のある例示的な態様を詳細に述べる。しかし、これらの態様は、種々の実施の形態の原理が使用されうる種々の方法のうちのほんの少数を示すにすぎない。
【図面の簡単な説明】
【００２０】
【図１】ここに述べられる種々の態様による無線通信システムを例示する。
【図２】本発明の他の態様による無線通信システムを例示する。
【図３Ａ】本発明の種々の態様によってパイロット・チャネル多重化（pilot channel multiplexing）を促進するシステムの例示的で非限定的なハイレベル・ブロック図を例示する。
【図３Ｂ】本発明の種々の態様によってアップリンク・パイロット信号が適応的に多重化されうるように複数のユーザ装置から信号を受信する基地局を例示する。
【図４】本発明の種々の態様によって例示的で限定されない適応パイロット多重化スキームを示す。
【図５】発明の種々の態様による無線通信環境内で使用するための通信装置を例示する。
【図６】ここに記述される種々の実施の形態による適応アップリンク・パイロット多重化のための１つの特定のハイ・レベルの方法論を例示する。
【図７】ここに記述される種々の実施の形態に従って適応アップリンク・パイロット多重化のための他の特定のハイ・レベル方法論を例示する。
【図８】複数のセルを含む種々の態様に従って実行される実例通信システムを例示する。
【図９】種々の実施の形態に従ってユーザ装置に対してアップリンク・パイロット多重化を行なうことに関連して利用できるシステムを例示する。
【図１０】本発明の種々の態様による基地局の例示的で限定されないブロック図を例示する。
【図１１】種々の実施の形態に従ってアップリンク・パイロット・チャネル割当てに関連して利用できるシステムを例示する。
【図１２】種々の実施の形態に従って実行される例示的な無線端末（例えば、無線端末、モバイルデバイス、エンドノード、・・・）を例示する。
【図１３】本発明の種々の態様に従ってアップリンク・パイロット多重化を組込む通信システムの例示的で非限定のブロック図を例示する。
【図１４】本発明の種々の実施の形態によってアップリンク・パイロットを多重化することを可能にする例示的で限定しない装置を例示する。
【図１５】本発明の種々の実施の形態によって適応パイロット多重化を促進する例示的で限定しない装置を例示する。
【詳細な説明】
【００２１】
種々の実施の形態が、全体にわたって同様の要素を示すために同様の参照番号が用いられている図面を参照して、これから説明される。以下の記述では、説明の目的のために、１つ又は複数の実施の形態についての完全な理解を提供するために、多くの具体的な詳細が説明される。しかし、そのような実施の形態が、これらの具体的な詳細なしで実行できることは明らかであろう。他の事例では、１つ又は複数の実施の形態について記述することを容易にするために、公知の構造及び装置がブロック図形式で示される。
【００２２】
さらに、本発明の種々の態様が下記に記述される。ここでの教示は種々様々の形式で具現化されうること、及びここに開示される任意具体的な構造及び／又は機能は典型的なものにすぎないことが明らかであろう。ここでの教示に基づいて、当業者は、ここに開示される１つの態様は、任意の他の態様とは独立に実行されてもよいこと、及びこれらの態様の１つ以上が種々の方法で組合せられてもよいことを認識すべきである。例えば、ここに開示される態様の任意の数を用いて、装置は事項されてもよく、及び／又は方法は実施されてもよい。さらに、ここに開示される態様の１つ又はそれより多くに加えてまたはそれ以外に他の構造及び／又は機能性を用いて、装置は実行されてもよく及び／又は方法は実施されてもよい。１つの例として、ここに記述される方法、デバイス、システム及び装置の多くは、ＳＣ−ＦＤＭＡ通信システムにおいてアップリンク・パイロット信号を多重化することに関連して記述される。当業者は、他の通信環境に対して同様の技法を適用できることを認識すべきである。
【００２３】
この出願で使用されるように、用語「コンポーネント」、「モジュール」、「システム」、などは、コンピュータ関連エンテイテイ、ハードウェア、ファームウェア、ハードウェアとソフトウェアの組み合わせ、ソフトウェア、実行中のソフトウェア、ファームウェア、ミドルウェア（middle ware）、マイクロコード、及び／又は、それらの任意の組み合わせを指すように意図される。例えば、コンポーネントは、プロセッサ上で走るプロセス、プロセッサ、オブジェクト、１つの、実行可能、実行のスレッド（thread of execution）、プログラム、及び／又は、コンピュータであってもよいが、それらであることに限定されていない。限定ではなく例示として、コンピューティングデバイス上で作動するアプリケーションと、コンピューティングデバイスは両方とも、コンポーネントであってもよい。１つ又は複数のコンポーネントがプロセス及び／又は実行のスレッド内に存在してもよく、また、１つのコンポーネントが１つのコンピュータ上に局在してもよく及び／又は集中２つの又はそれより多いコンピュータ間に分配されてもよい。さらに、これらのコンポーネントは、種々のータ構造を格納した種々のコンピュータ読取り可能媒体から実行することができる。それらのコンポーネントは、１つ又は複数のデータ・パケットを有する信号（例えば、ローカル・システム、分散システムにおける他のコンポーネントと及び／又はインターネットのようなネットワークでその信号によって他のシステムと相互作用する１つのコンポーネントからのデータ）に従うようなローカルの及び／又はリモートのプロセスによって通信してもよい。さらに、当業者によって認識されるように、ここに記述されたシステムのコンポーネントは、それらに関して記述される種々の態様、目標、利点、等の達成を促進するために再配列され及び／又は追加のコンポーネントによって補充されてもよく、所与の図に示されるそのままの構成には限定されない。
【００２４】
更に、無線端末かユーザ装置（ＵＥ）に関連して、種々の実施の形態がここに記述される。無線端末かＵＥはなた、システム、加入者ユニット、加入者局、移動局、移動体、モバイルデバイス、遠隔ステーション、遠隔端末、アクセス端末、ユーザ端末、端末、無線通信装置、ユーザ・エージェント、あるいはユーザ・デバイスと呼ばれてもよい。無線端末又はＵＥは、携帯電話、コードレス電話、セッション・イニシエーション・プロトコル（ＳＩＰ）電話、ワイヤレス・ローカル・ループ（ＷＬＬ）局、携帯情報端末（ＰＤＡ）、無線接続能力を有するハンドヘルド装置、コンピューティングデバイス、又は無線モデムに接続された他の処理装置であってもよい。さらに、基地局に関連して、種々の実施の形態がここに記述される。基地局は、無線端末と通信するために利用することができ、アクセス・ポイント、ノードＢ、又は他のある用語で呼ばれてもよい。
【００２５】
さらに、ここに記述される種々の態様又は特徴は、方法、装置、又は標準プログラミング及び／又はエンジニアリング技術を用いる製造品（article of manufacture）として実行されてもよい。ここに使用される「製造品」（"article of manufacture"）という用語は、任意のコンピュータ読取り可能デバイス、キャリア、又は媒体からアクセス可能なコンピュータ・プログラムを包含するように意図される。例えば、コンピュータ読取り可能媒体は、磁気記憶装置（例えば、ハードディスク、フロッピー（登録商標）ディスク、磁気ストリップ、等）、光ディスク（例えば、コンパクト・ディスク（ＣＤ）、デジタル・バーサタイル・ディスク（DVD）、等）、スマート・カード、フラッシュ・メモリ装置（例えば、SPROM、カード、ステイック、キー・ドライブ、等）を含むことができるが、それらに限定されない。さらに、ここに記述された種々の記憶媒体は、情報を格納するために１つ又は複数のデバイス及び／又は他の機械読取り可能媒体を表してもよい。さらに、ボイスメールを送信及び受信する場合に、セルラー・ネットワークのようなネットワークにアクセスする場合に、又は指定された機能を行なうようにデバイスに命令する場合に使用されるもののようなコンピュータ読取り可能電子データ又は命令を搬送するためにキャリア・ウエーブ（carrier wave）が使用できることが認識されるべきである。従って、「機械読取り可能媒体」（"machine-readable medium"）という用語は、それらに制限されずに、無線チャネル及び命令及び／又はデータを格納、包含、及び／又は搬送できる種々の他の媒体を含むことができる。もちろん、当業者は、ここに記述されかつ請求される発明の範囲又は精神から逸脱することなしに、開示された実施の形態に対して多くの修正がなされうることを当業者は認識するであろう。
【００２６】
さらに、「例示的な」（"exemplary"）という単語は、実例（example）、事例（instance）又は例証（illustration）として役立つことを意味するためにここに使用される。「例示的な」としてここに記述されるあらゆる態様又は設計は、他の態様や設計よりも好ましい又は有益であるとは必ずしも解釈されない。むしろ、例示的なという単語の使用は、概念を具体的な態様で表わすように意図される。本願で使用されている用語「又は」（"or"）は、排他的な「又は」（"or"）ではなくて、包含的な「又は」（"or"）を意味するように意図される。すなわち、別段の定めがない限り、又は文脈から明瞭でない場合には、「ＸはＡ又はＢを使用する」は、自然な包括的な交換のうちのどれでも意味するように意図される。すなわち、ＸはＡを使用する、ＸはＢを使用する、又はＸはＡ及びＢの両方を使用する場合には、「ＸはＡ又はＢ」は上記の事例のいずれにおいても満たされる。さらに、本願及び添付請求項で使用される冠詞「１つの」（"a"）及び（"an"）、別段の定めがない限りまたは単数形式に向けられるべき文脈から明らかでない場合には、「１つ又は複数の」を意味するように一般的に解釈されるべきである。
【００２７】
ここに使用されるように、「推論する」又は「推論」という用語は、事象及び／又はデータによって捉えられる１つの組の観察から、システム、環境、及び／又はユーザの状態を推論するプロセスを一般に指す。推論は、特定の文脈又はアクションを識別するために使用することができるか、あるいは、例えば、状態に関する確率分布を生成することができる。推論は、確率論的、すなわち、データ及び事象の考察に基づいた関心のある状態に対する確率分布の計算でありうる。推論はまた、１つのセットの事象及び／又はデータでより高いレベルの事象を構成するために使用される技術を指すことができる。そのような推論は、事象が緊密な時間的接近性で相互関連されているか否かに関係なく、及び事象及びデータが１つの又はいくつかの事象及びデータ・ソースに由来するか否かに関係なく、１つのセットの観察された事象及び／又は記憶された事象データから新しい事象又はアクションの構成を生ずる。
【００２８】
ここに記述される技術は、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリアＦＤＭＡ（ＳＣ−ＦＤＭＡ）ネットワーク、等のような種々の無線通信ネットワークに対して使用されてもよい。「ネットワーク」及び「システム」という用語は、交互に使用されることが多い。ＣＤＭＡネットワークは、ユニバーサル地上無線アクセス（ＵＴＲＡ）、ｃｄｍａ２０００、等のような無線技術として実行してもよい。ＵＴＲＡは、広帯域ＣＤＭＡ（Ｗ−ＣＤＭＡ）及び低チップ・レート（ＬＣＲ）を含む。ｃｄｍａ２０００は，ＩＳ−２０００、ＩＳ−９５及びＩＳ−８５６標準をカバーする。ＴＤＭＡネットワークは、移動体通信におけるグローバル・システム（ＧＳＭ）のような無線技術を実行してもよい。ＯＦＤＭＡネットワークは、発展した（Evolved）ＵＴＲＡ（ｅ−ＵＴＲＡ）、ＩＥＥＥ８０２．１１、ＩＥＥＥ８０２．１６、ＩＥＥＥ８０２．２０、フラッシュＯＦＤＭ（ｒ）、等のような無線技術を実行してもよい。ＵＴＲＡ、Ｅ−ＵＴＲＡ及びＧＳＭは、ユニバーサル・モバイル・テレコミュニケーション・システム（ＵＭＴＳ）の一部である。ロング・ターム・エボルーション（ＬＴＥ）は、Ｅ−ＵＴＲＡを使用するＵＭＴＳの近々のリリースである。ＵＴＲＡ、Ｅ−ＵＴＲＡ、ＧＳＭ、ＵＭＴＳ及びＬＴＥは、「第３世代パートナーシップ・プロジェクト（３ＧＰＰ）とう名称の組織からの文書に記述されている。ｃｄｍａ２０００は、「第３世代パートナーシップ・プロジェクト２」（３ＧＰＰ２）という名称の組織からの文書に記述されている。これらの種々の無線技術及び標準は技術的に公知である。明瞭のために、上記技術のある態様は、ＬＴＥに適用されるようにアップリンク・パイロット多重化に関連して下記において記述されてもよく、そして結果として、３ＧＰＰという用語は、適切である場合には下記の記述の多くで用いられてもよい。
【００２９】
上述のように、シングルキャリア変調及び周波数領域等化を利用するＳＣ−ＦＤＭＡは、それの固有の送信電力効率のためにアップリンク多元接続にとって魅力的な技術である。ＳＣ−ＦＤＭＡは、ＯＦＤＭＡシステムと同様の性能を有し、かつそれと同じ全体的な複雑性を有する。ＳＣ−ＦＤＭＡ信号は、それの固有のシングルキャリア構造のために、低いピーク対平均電力比率（ＰＡＰＲ）を有する。ＳＣ−ＦＤＭＡは、特に低いＰＡＰＲが送信電力効率の点でモバイル端末に大いに益するアップリンク通信において、大きな注目を引き寄せている。従って、ＳＣ−ＦＤＭＡは、現在では、３ＧＰＰロング・ターム・エボリューション（ＬＴＥ）又は発展した（Evolved）ＵＴＲＡ）におけるアップリンク多元接続スキームに対する作業仮説（working assumption）である。
【００３０】
ＬＴＥは、ダウンリンク上で直交周波数分割多重化（ＯＦＤＭ）をそしてアップリンク上でシングルキャリア周波数分割多重化（ＳＣ−ＦＤＭ）を利用する。ＯＦＤＭ及びＳＣ−ＦＤＭは、システム帯域幅を、一般にトーン、ビン、等とも呼ばれる複数（Ｎ）の直交サブキャリアに分割する。各サブキャリアは、データで変調されうる。一般に、変調シンボルは、ＯＦＤＭを備えた周波数領域及びＳＣ−ＦＤＭを備えた時間領域で送られる。ＬＴＥについては、隣接したサブキャリア間の間隔は固定してもよく、また、サブキャリアの総数（Ｎ）はシステム帯域幅に依存してもよい。１つの設計では、５ＭＨｚのシステム帯域幅に対してはＮ＝５１２、１０ＭＨｚのシステム帯域幅に対してはＮ＝１０２４、そして２０ＭＨｚの帯域幅に対してはＮ＝２０４８である。一般に、Ｎは任意の整数値であってもよい。
【００３１】
図１をここで参照すると、１つの実施の形態による多元接続無線通信システムは例示されている。アクセス・ポイント１００（ＡＰ）は、１つは１０４と１０６を含み、他の１つは１０８と１１０を含み、そしてさらに１つは１１２と１１４を含む、複数のアンテナ・グループを含む。図１では、各アンテナ・グループに対して２本のアンテナだけが示されているが、各アンテナ・グループに対してそれより多くか又は少いアンテナが各アンテナ・グループに対して利用されてもよい。アクセス端末１１６（ＡＴ）は、アンテナ１１２及び１１４と通信状態にあり、この場合、アンテナ１１２及び１１４は順方向リンクによって情報をアクセス端末１１６に送信し、そして、逆方向リンク１１８によってアクセス端末１１６から情報を受信する。アクセス端末１２２は、アンテナ１０６及び１０８と通信状態にあり、この場合、アンテナ１０６及び１０８は順方向リンク１２６によってアクセス端末１２２に情報を送信し、そして、逆方向リンク１２４によってアクセス端末１２２から情報を受信する。ＦＤＤシステムでは、通信リンク１１８、１２０、１２４及び１２６は異なる周波数を通信に使用してもよい。例えば、順方向リンク１２０は逆方向リンク１１８によって使用されるそれとは異なる周波数を使用してもよい。
【００３２】
アンテナの各グループ及び／又はそれらが通信するように設計された領域は、アクセス・ポイントのセクタと呼ばれることが多い。この実施の形態では、アンテナ・グループはそれぞれ、アクセス・ポイント１００によってカバーされた領域のセクタにおいてアクセス端末と通信するように設計される。
【００３３】
順方向１２０及び１２６による通信では、アクセス・ポイント１００の送信アンテナは、異なるアクセス端末１１６及び１２４に対する信号対ノイズ比を改善するためにビームフォーミング（beamforming）を利用する。また、カバレージにランダムに散在したアクセス端末に送信するためにビームフォーミングを用いるアクセス・ポイントは、すべてのアクセス端末に単一のアンテナで送信するアクセス・ポイントよりも近隣ノセルにおけるアクセス端末に対する干渉を少なくする。
【００３４】
上記のように、アクセス・ポイントは端末と通信するために使用された固定局であってもよく、また、アクセス・ポイント、ノードＢ又は他のある用語で呼ばれてもよい。アクセス端末はまた、アクセス端末、ユーザ装置（ＵＥ）、無線通信装置、端末、アクセス端末又は他のある用語で呼ばれてもよい。
【００３５】
図２は、本発明の１つ又は複数の態様に関連して利用されうるように複数の基地局２１０及び複数のアンテナ２２０を有する無線通信システム２００を例示する。基地局は、一般に端末と通信する固定局であり、また、アクセス・ポイント、ノードＢ、又は他のある用語で呼ばれてもよい。各基地局２１０は、２０２ａ、２０２ｂ及び２０２ｃで示された３つの地理的エリアとして例示されている特定の地理的エリアに対する通信カバレージを提供する。用語「セル」は、その用語が使用される文脈に応じて基地局及び／又はそれのカバレージを指すことができる。システム容量を改善するために、基地局カバレージは、複数の小エリア（例えば、図２におけるセル２０２ａに従って、３つの小エリア）２０４ａ、２０４ｂ及び２０４ｃに分割されてもよい。各小エリアは、ベース・トランシーバ・サブシステム（ＢＴＳ）によってサーブ（served）されうる。用語「セクタ」は、この用語が使用される文脈に応じてＢＴＳ及び／又はそれのカバレージを指すことができる。セクタ化セルの場合には、そのセルのすべてのセルに対するＢＴＳｓは、そのセルに対する基地局内に通常共同配置される。ここに記述される送信技法は、セクタ化セルを有するシステムならびにセクタ化されないセルを有するシステムに対して使用されてもよい。簡単のために、下記の記述では、用語「基地局」は、一般的に、セクタにサーブする固定局ならびにセルにサーブする固定局に対して使用される。
【００３６】
端末２２０は、典型的にはシステムの全体にわたって分散され、そして、各端末は固定またはモバイルであってもよい。端末はまた、移動局、ユーザ装置、ユーザ・デバイス又は他のある用語で呼ばれてもよい。端末は、無線装置、携帯電話、携帯情報端末（ＰＤＡ）、無線モデムカード、等であってもよい。各端末２２０は、任意の所定時点において、ダウンリンク及びアップリンク上のゼロ、１つの、又は複数の基地局と通信してもよい。ダウンリンク（又は順方向リンク）は基地局から端末への通信リンクを指し、また、アップリンク（又は逆方向リンク）は端末から基地局への通信リンクを指す。
【００３７】
集中アーキテクチャ（centralized architecture）では、システム・コントローラ２３０が基地局２１０に結合し、基地局２３０に対する調整及び制御を与える。分散アーキテクチャでは、基地局２１０は、必要に応じて互いに通信してもよい。順方向リンク上でのデータ伝送は、順方向リンク及び／又は通信システムによってサポートされうる最大データ伝送速度又はその近くで１つのアクセス・ポイントから１つのアクセス端末へと生ずる。順方向リンクの付加チャネル（例えば制御チャネル）は、複数のアクセス・ポイントから１つのアクセス端末に送信されてもよい。逆方向リンクデータ通信は、図１に関して上述されたように、端末２２０における及び／又は基地局２１０における１つ又は複数のアンテナによって１つのアクセス端末から１つ又は複数のアクセス・ポイントに生じてもよい。
【００３８】
図３Ａは、本発明の種々の態様によってパイロットチャネル多重化を促進するシステムの例示的で非限定的なハイレベル・ブロック図を例示する。システム３００Ａは、無線態様で基地局３０４に通信的に結合されるユーザ装置３０２を含む。言い換えると、基地局３０４は、ダウンリンク３１０を通じてユーザ装置３０２に音声及び／又はデータサービスを提供しており、また、ＳＣ−ＦＤＭＡアップリンクのようなアップリンク３１２を通じてユーザ装置３０２からの通信を受け取っている。ユーザ装置３０２は、ユーザ装置が異なる地理的エリアに移動すると基地局から受信される信号に関連した品質が変化できるように、本来的にモバイルであってもよい。ユーザ装置３０２は、いくつかの機能のうちで、チャネル状態評価を可能にするために、ここに記述されるスキームに従ってアップリンク・パイロット信号を適応的に多重化できるパイロット・マルチプレクサ３０６を含むことができる。他の態様では、基地局３０４は、チャネル評価を改善しかつ他のユーザ装置からの干渉を抑えるために、適応的に多重化されたパイロット信号が使用できるっように、パイロット・デマルチプレクサ３０８を用いてパイロット信号を逆多重化できる。さらに、ユーザ装置３０２及び／又は基地局３０４は、いくつかの機能のうちで、パイロット割当スキームを適応的に決定するために使用される関連情報又はデータの通信を促進する他の従属的なコンポーネントを含むことができることが認識されるべきである。例えば、本発明の種々の実施の形態によれば、基地局は、本ユーザ装置３０２、基地局３０４、及び他の能動無線端末がパイロット多重化スキームを適応的に決定できるように、ＳＤＭＡに対する能動無線端末３０２又はＳＵ−ＭＩＭＯに対するストリームの数及びパイロット割当識別子を送信できる。さらに、アップリンク３１２及びダウンリンク・チャネル３１０は単一の矢印として示されているが、本発明は、単一ユーザＭＩＭＯ（ＳＵ−ＭＩＭＯ）システムの場合のように、複数の送信及び受信アンテナの使用を意図する。
【００３９】
更に、ここに記述されるユーザ装置３０２アップリンク・チャネルに関連する用語「多重化」は、信号の物理的組合せを意味する言葉の従来の定義に加えて、文脈に応じて、共有の媒体（例えば、無線チャネル）を通じて複数の送信源（例えば、アンテナ）からの同時送信を促進しながら、パイロットの直交性を保存するような態様で帯域幅資源を選択するプロセスを指すことが理解されるべきである。例えば、ＳＵ−ＭＩＭＯでは、ユーザ装置３０２又はそれの一部分における複数の送信アンテナは、ここに記述されるスキームに従ってアップリンク・チャネル上で同時に（多重化で）送信するために使用することができるが、多重化信号はユーザ装置３０２又はそれの一部分では物理的に結合されなくてもよい。他の実例では、ＳＤＭＡ又はＭＵ−ＭＩＭＯにおいては、複数の個々のユーザ装置３０２は、単一のアンテナによって１つのチャネル上で同時に送信してもよいが、実際の信号組合せはユーザ装置３０２又はそれの一部分では生じない。むしろ、この場合における多重化のプロセスは、個々の信号が共有の物理的チャネルによって同時に送信されそして続いて逆多重化されうるようにユーザ装置３０２により共有リソースの特定の部分を選択することを指す。
【００４０】
図３Ｂは、本発明の種々の態様に従ってアップリンク・チャネル信号が適応的に多重化されるように複数のユーザ装置３０２から信号を受信する基地局３０４を例示する。多ユーザＭＩＭＯ（ＭＵ−ＭＩＭＯ）空間分割多元接続（ＳＤＭＡ）システムの場合のように、基地局３０４は複数のユーザ装置３０２（１−Ｚ）から信号を受け取っている状態で示されており、Ｚは整数である。
【００４１】
下記の論述は、ＵＭＴＳに関連してネットワーク（例えば、基地局３０４又はシステム・コントローラ２３０）と無線端末（例えば、ユーザ装置３０２又はアクセス端末２２０）の間のシグナリング（signaling）に関する付加的な背景情報を提供する。１つ態様では、論理的チャネルは制御チャネル及びトラヒック・チャネルに分類される。論理的制御チャネルは、放送システム制御情報に対するＤＬチャネルである放送制御チャネル（ＢＣＣＨ）を含む。ページング情報を転送するＤＬチャネルであるページング制御チャネル（ＰＣＣＨ）。１つの又は幾つかのマルチキャスト・トラヒック・チャネル（ＭＴＣＨｓ）に対するマルチメデイア放送及びマルチキャスト・サービス（ＭＢＭＳ）スケージューリング及び制御情報を伝送するために使用されるポイント・ツー・マルチポイント（point-to-multipoint）ＤＬチャネルであるマルチキャスト制御チャネル（ＭＣＣＨ）。一般に、無線資源管理（ＲＲＣ）接続を確立した後には、このチャネルは、ＭＢＭＳを受信するユーザ装置３０２によって使用されるだけである。専用制御チャネル（ＤＣＣＨ）は、専用制御情報を伝送しかつＲＲＣ接続を有するユーザ装置３０２によって使用されるポイント・ツー・ポイント双方向チャネルである。他の態様では、論理的トラヒック・チャネルは、ユーザ情報の転送のための１つのユーザ装置に専用のポイント・ツー・ポイント双方チャネルである専用トラフィック・チャネル（ＤＴＣＨ）を含む。さらに、トラヒック・データを伝送するためのポイント・ツー・マルチポイントＤＬチャネルに対するＭＴＣＨ。
【００４２】
他の態様では、トランスポート・チャネルはＤＬとＵＬに分類される。
【００４３】
ＤＬトランスポート・チャネルは、放送チャネル（ＢＣＨ）、ダウンリンク共有データ・チャネル（ＤＬ−ＳＤＣＨ）、及びページング・チャネル（ＰＣＨ）を含み、ＰＣＨは、セル全体にわたって放送されかつ他の制御／トラヒック・チャネルに対して使用されうるＰＨＹ資源にマップされるユーザ装置パワーセービングのサポートのためのものである（不連続受信（ＤＲＸ）サイクルがネットワークによってユーザ装置に表示される）。ＵＬトランスポート・チャネルは、ランダム・アクセス・チャネル（ＲＡＣＨ）、リクエスト・チャネル（ＲＥＱＣＨ）、アップリンク共有データ・チャネル（ＵＬ−ＳＤＣＨ）、及び複数のＰＨＹチャネルを含む。ＰＨＹチャネルは、１つのセットのＤＬチャネル及びＵＬチャネルを含む。
【００４４】
ＤＬ ＰＨＹチャネルは次のものを含む：
共通パイロット・チャネル（ＣＰＩＣＨ）
同期チャンネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
肯定応答チャンネル（ＡＣＫＣＨ）
ＤＬ物理的共有データ・チャネル（ＤＬ−ＰＳＤＣＨ）
ＵＬパワー制御チャネル（ＵＰＣＣＨ）
ページング・インジケータ・チャンネル（ＰＩＣＨ）
ロード・インジケータ・チャネル（ＬＩＣＨ）
ＵＬ ＰＨＹチャネルは次のものを含む：
物理的ランダム・アクセス・チャネル（ＰＲＡＣＨ）
チャネル品質インジケータ・チャネル（ＣＱＩＣＨ）
肯定応答チャンネル（ＡＣＫＣＨ）
アンテナ・サブセット・インジケータ・チャンネル（ＡＳＩＣＨ）
共有リクエスト・チャンネル（ＳＲＥＱＣＨ）
ＵＬ物理的共有データ・チャネル（ＵＬ−ＰＳＤＣＨ）
広帯域パイロット・チャネル（ＢＰＩＣＨ）
本発明の例示的な非限定の実施の形態によれば、シングルキャリア波形の低ＰＡＲ（例えば、任意所定の時点で、チャネルが周波数的に連続しているか又は均一に離間されている）特性を保存するチャネル構造が提供される。他の非限定の実施の形態によれば、複数のユーザ装置又は単一のユーザ装置からの複数のストリームがそれぞれＳＤＭＡ又は単一ユーザＭＩＭＯにおいて同じ帯域幅割当てで多重化される場合に、本発明は、改善だれたチャネル評価及びチャネル干渉の抑制のためにパイロット直交性を有利に維持する。さらに、上述のように、本発明は、ウップリンク・チャネル上の無線端末に対する改善された無線送信パワー効率のためにパイロット・チャネル上にシングルキャリア波形を有利に維持する。したがって、すべてのシナリオにおいてパイロット上にシングルキャリア波形を維持しながら、ＳＤＭＡ（例えば、ＭＵ−ＭＩＭＯ）又はＳＵ−ＭＩＭＯにおいて同じ帯域幅でユーザ装置を多重化するための方法がここに記述される。
【００４５】
本発明の特定の非限定的な実施の形態の説明のために、次の命名法が使用される。開示された発明の精神から逸脱することなしに種々の修正がなされ得ることを当業者は認識するであろう。したがって、ここでの記述は、特許請求の範囲内を守りながら可能となりうる多くの実施の形態の１つだけであることが理解されるべきである。ＳＤＣＨは共有データ・チャネルであり、ＰＩＣＨはパイロット・チャネルであり、ＲＢは資源ブロックであり、ＬＢ及びＳＢは長いブロック及び短いブロックをそれぞれ指し、スロットは、６つのＬＢ及び２つのＳＢを含むＲＢｓの０．５ミリ秒（ｍｓ）収集（collection）であり、そして、ＴＴＩは２つのスロットを含む送信時間間隔である。
【００４６】
図４は、本発明の種々の態様による例示的で非限定的な適応パイロット割当スキーム４００を４つのストリーム（例えば、ストリーム０、１，２、３）に対して示す。ストリームは、単一の無線ユーザ装置３０２（例えば、ＳＵ−ＭＩＭＯ）からマルチプル・ワイヤレス・ユーザ装置３０２（例えば、ＳＤＭＡ）への、又は、それらの任意の組合せ、等への複数のアップリンク送信の１つを指してもよいであろうことが認識されるべきである。さらに、例示の目的のために、ＳＤＣＨ及びＰＩＣＨは各ＬＢ４０８及び４１０を占有して示されているが、このような選択は本発明の機能にたいしては必須ではない。従って、ＳＢ資源ブロックを占有するパイロット・チャネルに関連して特定の実施の形態が記述されてもよいが、パイロット・ブロックをマッピングするのに適した任意のセットのブロックが使用でき、また、ＳＢは、ここに記述される概念を関係づける際の便宜的な事項として記述で示されることが理解されるべきである。データ多重化構造に関して、通常はＳＵ−ＭＩＭＯ又はＳＤＭＡシナリオにおいて、複数のデータ・ストリームは同じＲＢ ４０６の上で多重化される。データ・ストリームＳＤＣＨ多重化の選択は、これらのストリームが受信機のＭＭＳＥ抑制で空間に分離可能となるようにスケジューラによって通常行なわれるが、本発明は、高いパイロットＳＮＲ及びデータの正確なＭＭＳＥ前処理を保証する各ストリームのための直交パイロット構造に４０２を有利に提供する。さらに、シングルキャリア波形を維持するために、パイロット及びデータは局所的な態様で送信される。図４の例示的な非限定の実施の形態では、そのような多重化構造は、１２のＬＢ ４０８と４のＳＢ ４１０に分割された１ミリ秒（ｍｓ）ＴＴＩ ４０４を含むことができ、この場合、ＳＤＣＨは４のＳＢ ４１０上で送信されうる。特定の実施の形態では、１つのＲＢに対するＦＤＭ ＰＩＣＨ構造は１８０ｋＨｚにわたっており、アップリンク中の送信の最小単位である。ＰＩＣＨ粒度は３０ｋＨｚであり、換言すれば、ＰＩＣＨ帯域幅は３０ｋＨｚの増分で増加するか、あるいは、アップリンク中の送信の各最小単位につき６のトーンを提供することができる。ＰＩＣＨ構造は、シンボル当たりのＰＩＣＨ帯域幅が本発明の種々の非限定的示威氏の形態に従って多重化されているストリームの数の関数であるように適応性である適応パイロット多重化スキームの結果を示している。例えば、図４は、上記のように、単一のユーザからの４つのストリーム又は４人のユーザそれぞれからの１つのストリームを表わすことができる。グレーのセル・エリアは、すべてのストリームからのＳＤＣＨが送られるＬＢ４０８を表示する。ＰＩＣＨはＳＢ ４０２に送られ、また、ＰＩＣＨ周波数分割ＦＤＭ直交性は、ストリーム１に対する「０」、ストリーム２に対する「１」、ストリーム３に対する「２」、及びストリーム４に対する「３」のインジケータによって示すことができる。
【００４７】
提供される適応パイロット多重化スキームのいくつかの結果が図４から観察することができる。例えば、種々の非限定的な実施の形態によれば、ＳＢ ４０２ごとのＰＩＣＨ帯域幅及び周波数位置は、アクテイブ・ストリーム（例えば、ＳＵ−ＭＩＭＯ、ＳＤＭＡ又はそれらの任意の組合せからであるかどうかを問わず、アップリンク・チャネル上での現在の送信）の数の関数として時間的に変化できる。他の非限定的実施の形態によれば、各ストリームに対するＰＩＣＨは、１ミリ秒（ｍｓ）ＴＴＩ ４０４全体にわたる同じ一定の時間／帯域幅割当てを有する。さらに、本発明は、本発明の種々の態様に従って、ストリーム当たりのＰＩＣＨを周波数的に連続な状態に維持しながら、ＳＢを横切る各ストリームに対するＰＩＣＨ周波数位置を周期的に時間的にシフトさせることによって改善された無線送信パワー効率のための低いＰＡＲシングルキャリア波形を保存するＰＩＣＨ波形を有利に提供する。さらに、提供される適応パイロット多重化スキームは、チャネル評価を改善しかつ他の無線端末の干渉を抑制するために、ストリームことのＰＩＣＨが直交した態様で周波数分割多重化されうるので、ＳＢ ４０２ごとの直交性を維持する。
【００４８】
ＳＢ ４０２＿１における２つのストリーム（０及び１）の真っ直ぐなケース４１４の図４における実例に対して、最初の０．５ミリ秒（ｍｓ）スロットは、下方の３つのトーンを占めるＲＢ ４６の上端においける最初のストリーム１を示す。第２のＳＢ ４０２＿２では、ストリームは、下方の３つのトーンを占めるＲＢ４０６の下方部分にホップ（hops）する。パターンが次に反復して、１ミリ秒（ｍｓ）ＴＴＩ ４０４全体にわたる一定の時間／帯域幅割当てを備えた周波数的に連続したストリーム当たりのＰＩＣＨを生ずる。しかし、より多くのストリームが追加されると、多重化スキームは、前述の利点（例えば、シングルキャリア、直交性、１つのＴＴＩにわたる一定の時間／帯域幅割当て）を維持しながら適応する。例えば、４つのストリームを備えたケース４１８では、パターンはＴＴＩ  ４０４の内では反復していないが、１ミリ秒（ｍｓ）ＴＴＩ ４０４全体にわたる一定の時間／帯域幅割当てを備えた周波数的に連続したストリーム当たりのＰＩＣＨを維持する。
【００４９】
上記述のように、ここに添付された特許請求の範囲から逸脱することなしに、図４に関して説明された適応パイロット多重化スキームに対して種々の修正がなされうる。例えば、他の非限定的な実施の形態によれば、図４におけるＰＩＣＨ構造は、ＮのＲＢ及びＭのストリームに対して下記のように拡張することができる。
【００５０】
Ｎ＝奇数に対して：
Ｍ＝１、２あるいは３である場合には、
ＰＩＣＨ帯域幅は、すべてのＳＢにおけるデータと同じ
ＰＩＣＨ帯域幅＝((180/M)*N) KHz
Ｍ＝４である場合には、
ＰＩＣＨ帯域幅はすべてのＢＳにおいて同じではない
ＳＢインデックスｍにおけるストリームｍのＰＩＣＨ帯域幅
= (90*N) KHz
他のＳＢにおけるストリームｍのＰＩＣＨ帯域幅
= (30*N) KHz
Ｎ＝偶数に対して：
Ｍ＝１又は２又は３又は４である場合
ＰＩＣＨ帯域幅はすべてのＳＢにおけるデータと同じ
ＰＩＣＨ帯域幅 = ((180/M)*N) KHz
観察されるように、そのような拡張(extension)はは、図４に関して上述したのと同様の利点を提供する。
【００５１】
図５をここで参照すると、無線通信環境内で使用するための通信装置５００は例示されている。装置５００は、基地局３０４又はそれの部分、あるいはユーザ装置３０２又はそれの一部分（プロセッサに結合されたセキュア・デジタル（ＳＤ）カードのような）であってもよい。装置５００は、信号処理、通信のスケジューリング、測定ギャップの要請、等に対する種々の命令を保持するメモリ５０２を含んでもよい。例えば、装置５００が図１１−１２及び１５に関して下記に述べられるようなユーザ装置である場合には、メモリ５０２は、特定の基地局に対するアップリンク及び／又はダウンリンク・チャネル上の信号の品質を分析するための命令を含むことができる。さらに、メモリ５０２は、アクテイブなストリームの数の関数としてＳＢ ４０２ごとのＰＩＣＨ帯域幅及び周波数位置を時間的に変えることによりＰＩＣＨを適応的に多重化するための命令を含むことができる。その目的のために、メモリ５０２は、本発明の種々の態様によれば、予め定められたスキームに従ってアップリンク・パイロットを適応的に多重化することを促進するために、基地局３０４からのアップリンク・パイロット・チャネル・データ（例えば、アクテイブなストリームの数及び／又は表示された開始周波数位置、利用可能なＲＢｓ ４０６の数、それらの任意の組合せ、及び／又は同様なもの）を基地局３０４から受信して処理するための命令を備えうる。さらに、メモリ５０２は、適応的に多重化されたＰＩＣＨの送信を促進するための命令を含むことができる。上記の例示の命令及び他の適切な命令は、メモリ５０２内に保持することができ、そして、プロセッサ５０４は、（例えば、アクテイブ・ストリームの数、周波数開始位置などに依存して）命令を実行することに関連して利用することができる。
【００５２】
また、上述のように、装置５００は、図９−１０及び１４に関して後述するような基地局及び／又はそれの一部分であってもよい。一例として、メモリ５０２は、装置５００によってサービスされるユーザ装置が他の技術及び／又は周波数に関して測定をとっているという表示を受信するための命令を含むことができる。メモリ５０２は、本発明の種々の態様によれば、所定のスキームに従って適応的に多重化されたＰＩＣＨを逆多重化することを促進するために、アップリンク・パイロット・チャネル・データ（例えば、アクテイブ・ストリームの数及び／又は表示された開始周波数位置、利用可能なＲＢ ４０６の数、それらの任意の組み合わせ及び／又は同様のもの）を決定してユーザ装置３０２に送信するための命令をさらに含んでもよい。その目的のために、メモリ５０２は、適応的に多重化されたＰＩＣＨの受信を促進するための命令をさらに含むことができる。プロセッサ５０４は、メモリ５０２内に保持された命令を実行するために使用することができる。いくつかの実例が提供されているが、方法論の形式で（例えば、図６−７）記述された命令がメモリ５０２内に含まれかつプロセッサ５０４によって実行されうることが理解される。
【００５３】
図６及び７を参照すると、種々の実施の形態による適応アップリンク・パイロット多重化のための特定のハイ・レベルの方法論が例示されている。説明の簡単の目的のために、それらの方法論は、一連の行為として示されかつ記述されるが、ある行為はここに示されかつ記述されるのとは異なる順序で及び／又は他の行為と同時に生ずることができるので、それらの方法論は行為の順序によって限定されないことが理解されかつ認識されるべきである。例えば、方法論は、状態図におけるように一連の相互に関連した状態又は事象として二者択一的に表わされうることを当業者理解しかつ認識するであろう。さらに、１つ又は複数の実施の形態による方法論を実行するためには、例示された行為が全て利用されなくてもよい。
【００５４】
図６は、ここに記述される適応パイロット多重化スキームに関してアップリンク・パイロット多重化を促進する１つの特定のハイ・レベル方法論６００を例示する。６０４において、アクテイブ・ストリーム（active streams）の数の所定の関数によって適応パイロット多重化スキームを促進するのに必要なアップリンク・パイロット・チャネル情報（例えば、アクテイブ・ストリーム及び／又は表示された開始周波数位置、利用可能なＲＢｓ４０６の数、それらの任意の組合せ、及び／又は同様のもの）が、基地局３０４又はそれの一部分において決定される。６０６において、アクテイブ・ストリームの数の所定の関数に従ってＳＢ４０２ごとのパイロット・チャネル帯域幅及び周波数位置を時間的に変更することによってユーザ装置３０２適応パイロット・多重化を促進するために、各アップリンク・パイロット・チャネル情報が１つ又は複数のユーザ装置３０２に送信される。６０８で、ユーザ装置３０２からの多重化パイロットを受信したことに応答して、基地局３０４又はそれの一部分は、所定の関数及び各アップリンク・パイロット・チャネル情報に従って多重化パイロット・チャネルを逆多重化する。
【００５５】
図７は、ここに記述される適応パイロット多重化スキームに関してアップリンク・パイロット多重化を促進するための１つの特定のハイ・レベル方法論７００を例示する。基地局３０４又はそれの一部分から７０４において各アップリンク・パイロット・チャネル情報を受信したことに応答して、ユーザ装置３０２又はそれの一部分は、アクテイブ・ストリームの数の所定の関数に従ってＳＢ４０２ごとのパイロット・チャネル帯域幅及び周波数位置を時間的に変更することによって７０６においてパイロットを適応的に多重化する。７０６において、ユーザ装置３０２又はそれの一部分は、適応的に多重化されたパイロットを送信する。
【００５６】
図８は、複数のセル、セル Ｉ ８０２、セル Ｍ ８０４を含む種々の態様に従って実行される実例の通信システム８００を図示している。近隣のセル８０２及び８０４は、セル境界領域８６８によって示されるように、若干オーバーラップしており、それによって、近隣のセルにおける基地局によって送信される信号間の信号干渉の可能性を生じることに注意されたい。システム８００の各セル８０２及び８０４は３つのセクタを含む。複数のセクタに分割されていない（Ｎ＝１）セル、２つのセクタを有する（Ｎ＝２）セル、及び３つより多いセクタを有する（Ｎ＞３）セルも種々の態様により可能である。セル８０２は、第１のセクタ、セクタＩ ８１０、第２のセクタ、セクタII ８１２及び第３のセクタ、セクタIII ８１４）を含んでいる。各セクタ８１０、８１２、８１４は、２つのセクタ境界領域を有しており、各境界領域は２つの隣接したセクタ間で共有される。
【００５７】
セクタ境界領域は、近隣のセクタの基地局によって送信される信号間の信号干渉の可能性を提供する。ライン８１６は、セクタI ８１０とセクタII ８１２の間のセクタ境界領域を表わす；ライン８１８は、セクタII ８１２とセクタIII ８１４の間のセクタ境界領域を表わす；ライン８２０は、セクタIII ８１４とセクタI ８１０の間のセクタ境界領域を表わす。同様に、セルＭ ８０４は、第１のセクタ、セクタI ８２２、第２のセクタ、セクタII ８２４及び第３のセクタ、セクタIII ８２６を含んでいる。ライン８２８は、セクタI ８２２とセクタII ８２４の間のセクタ境界領域を表わす；ライン８３０は、セクタII ８２４とセクタIII ８２６の間のセクタ境界領域を表わす；
ライン８３２は、セクタIII ８２６とセクタI ８２２の間の境界領域を表わす。セルI ８０２は、各セクタ８１０、８１２、８１４に基地局（ＢＳ）、基地局I ８０６、及び複数のエンドノード（ＥＮｓ）（例えば、無線端末）を含む。セクタI ８１０はＥＮ（１）８３６、及びそれぞれ無線リンク８４０、８４２によってＢＳ８０６に結合されたＥＮ（Ｘ）８３８を含んでいる；セクタII ８１２は、ＥＮ（１’）８４４、及び無線リンク、それぞれ８４８、８５０によってＢＳ  ８０６につながれたＥＮ（Ｘ」）８４６を含んでいる；セクタIII ８１４は、ＥＮ（１”）８５２、及びそれぞれ無線リンク８５６、８５８によってＢＳ８０６に結合されたＥＮ（Ｘ”）８５４を含んでいる。同様に、セルＭ ８０４は、各セクタ８２２、８２４、８２６に基地局Ｍ ８０８及び複数のエンドノード（ＥＮ）を含んでいる。セクタI ８２２は、ＥＮ（１）８３６’、及びそれぞれ無線リンク’８４０’、８４２’によってＢＳＭ８０８に結合されたＥＮ（Ｘ）８３８’を含んでいる；セクタII ８２４はＥＮ（１’）８４４’を及びそれぞれ無線リンク８４８’、８５０’によってＢＳ Ｍ ８０８に結合されたＥＮ（Ｘ’）８４６’を含んでいる；セクタIII ８２６は、ＥＮ（１”）８５２’、及びそれぞれ無線リンク８５６’、」８５８’によってＢＳ８０８に結合されたＥＮ（Ｘ”）８５４’を含んでいる。
【００５８】
システム８００はまた、それぞれネットワーク・リンク８６２、８６４によってＢＳ I８０６及びＢＳ M８０８に結合されたネットワーク・ノード８６０を含む。ネットワーク・ノード８６０はまた、他のネットワーク・ノード、例えば、他の基地局、ＡＡＡサーバ・ノード、中間ノード、ルータ、等に結合され、またネットワーク・リンク８６６によってインターネットに結合される。ネットワーク８６２、８６４、８６６は、例えば光ファイバケーブルであってもよい。各エンドノード、例えば、ＥＮ（１）８３６は、受信機と同様に送信機も含む無線端末であってもよい。無線端末、例えば、ＥＮ（１）８３６は、システム８００中を移動することができ、そして、そのＥＮが現在位置するセルの基地局と無線リンクによって通信することができる。無線端末（ＷＴｓ）、例えば、ＥＮ（１）８３６は、基地局、例えば、ＢＳ８０６、及び／又はネットワーク・ノード８６０によってシステム８００内の又はシステム８００外のピアノード（peer nodes）、例えば、他のＷＴｓと通信できる。ＷＴｓ、例えば、ＥＮ（１）８３６は、携帯電話、無線モデムを有する携帯情報端末等のような移動体通信デバイスであってもよい。各基地局又はそれらの一部分は、パイロット・アップリンク・チャネル情報決定及び送信を行なうことができる。さらに、各基地局又はそれらの一部分は、ここで提供される種々の態様によってアップリンク・パイロット逆多重化を行なうことができる。その無線端末又はそれらの一部分は、ここに提供される種々の態様によるアクテイブ・ストリームの数の所定の関数によってＳＢ４０２ごとのパイロット・チャネル帯域幅及び周波数位置を時間的に変更することにより多パイロットを適応的に多重化することを促進するために、提供された各アップリンク・パイロット・チャネル情報を使用することができる。さらに、無線端末又はそれらの一部分は、多重化パイロットを各基地局に送信できる。
【００５９】
図９は、ユーザ装置に対して適応アップリンク・パイロット多重化スキームに関連して利用できるシステムを例示する。システム９００は、１又は複数本の受信アンテナ９０６経由で１つ又は複数のユーザ・デバイス９０４から信号を受信し、そして、複数の送信アンテナ９０８によって１つ又は複数のユーザ・デバイス９０４に送信する受信機９１０を有する基地局９０２を具備する。１つの例では、受信アンテナ９０６及び送信アンテナ９０８は、単一の組のアンテナを用いて実行できる。受信機９１０は、受信アンテナ９０６から情報を受信でき、そして、受信情報を復調する復調器９１２に動作的に関連される。受信機９１０は、当業者によって認識されるように、例えば、レーク受信機（例えば、複数のベースバンド相関器を用いてマルチパス信号成分を個々に処理する技法・・・）、ＭＭＳＥに基づいた受信機、又は割当てられたユーザ・デバイスを分離するためのある他の適切な受信機であってもよい。例えば、複数の受信機が使用でき（例えば、受信アンテナごとに１つ）、そして、その受信機は、利用者データの改善された評価を提供するために互いに通信できる。復調されたシンボルは、図１１に関して下記に述べられたプロセッサ１１０６と同様のプロセッサ９１４によって分析され、かつ、ユーザ・デバイス割り当てに関連した情報、それに関連したルックアップ・テーブル、等を格納するメモリ９１６に結合される。各アンテナに対する受信機出力は、受信機９１０及び／又はプロセッサ９１４によって一緒に処理することができる。変調器９１８は、送信アンテナ９０８を通じての送信機９２０によるユーザ・デバイス９０４への送信のための信号を多重化できる。
【００６０】
図１０は、本発明の種々の態様による実例の基地局１０００を例示する。基地局１０００又はそれの部分は、本発明の種々の態様を実行する。例えば、基地局１０００は、関連するユーザ装置における適応パイロット多重化を促進するために後続の送信のためのパイロット・アップリンク・チャネル情報決定を決定できる。基地局１０００は、図８のシステム８００の基地局８０６及び８０８のうちの任意の１つとして使用できる。基地局１０００は、受信機１００２、送信機１００４、プロセッサ１００６、例えば、種々の要素１００２、１００４、１００６、１００８及び１０１０がそれによってデータ及び情報を交換できるバス１００９によって互いに結合されるＣＰＵ、入力／出力インターフェース１００８及びメモリ１０１０を含む。
【００６１】
受信機１００２に結合されたセクタ化アンテナ１００３は、基地局のセル内の各セクタからの無線端末送信から、データ及び他の信号、例えばチャネル報告書を受信するために使用され、１又は複数本の受信アンテナを具備できる。送信機１００４に結合されたセクタ化アンテナ１００５は、基地局のセルの各セクタ内の無線端末１２００（図１２参照）にデータ及び他の信号、例えば、制御信号、パイロット信号、ビーコン信号、等を送信するために使用される。種々の態様において、基地局１０００は、複数の受信機１００２及び複数の送信機１００４、例えば、各セクタ用の個々の受信機１００２及び個々の送信機１００４）を使用できる。上述のように、種々の修正が可能であることが認識されるべきである。例えば、ＳＵ−ＭＩＭＯシステムでは、基地局及びユーザ装置における複数の送信及び受信アンテナ、受信機、等が使用できる。同様に、ＳＤＭＡシステムでは、複数のユーザが、複数の送信及び受信アンテナを有する基地局から信号を送信及び受信することができる。プロセッサ１００６、例えば、汎用中央処理装置（ＣＰＵ）であってもよい。プロセッサ１００６は、メモリ１０１０に格納された１つ又は複数のルーチンの指示のもとで基地局１０００の動作を制御し、そして、方法を実行する。Ｉ／Ｏインターフェース１００８は、基地局１０００を他の基地局、アクセス・ルータ、ＡＡＡサーバ・ノード、等、他のネットワーク、及びインターネットに結合する他のネットワーク・ノードに対する接続を提供する。メモリ１０１０は、ルーチン１０１８及びデータ／情報１０２０を含んでいる。
【００６２】
データ／情報１０２０は、データ１０３６、ダウンリンク・ストリップ−シンボル時間情報１０４０及びダウンリンク・トーン情報１０４２を含むトーン・サブセット・シーケンス情報１０３８、及び複数のセットのＷＴ情報、ＷＴ 1情報１０４６及びＷＴ Ｎ情報１０６０を含む無線端末（ＷＴ）データ／情報１０４４を含んでいる。ＷＴ情報、例えば、ＷＴ １情報１０４６の各セットは、データ１０４８、端末ＩＤ１０５０、セクタＩＤ１０５２、アップリンク・チャネル情報１０５４、ダウンリンク・チャネル情報１０５６、及びモード情報１０５８を含んでいる。
【００６３】
ルーチン１０１８は、通信ルーチン１０２２及び基地局制御ルーチン１０２４を含んでいる。基地局制御ルーチン１０２４は、スケジューラ・モジュール１０２６、及びストリップ・シンボル期間に対するトーン・サブセット割当てルーチン１０３０、シンポル期間の残り、例えば、ノンストリップ・シンボル期間（non strip-symbol periods）に対する他のダウンリンク・トーン割当てホッピング・ルーチン１０３２、及びビーコン・ルーチン１０３４を含むシグナリング・ルーチン１０２８を含んでいる。
【００６４】
データ１０３６は、ＷＴへの送信に先立って符号化するために送信機１００４の符号器１０１４に送信される送信されるべきデータと、受信に続いて受信機１００２の符号器１０１２によって処理されたＷＴｓからの受信データを含んでいる。ダウンリンク・ストリップ−シンボル時間情報１０４０は、スーパースロット、ビーコンスロット、及びウルトラスロット構造情報のようなフレーム同期構造情報、及び所与のシンボル期間がストリップ・シンボル期間であるかどうかを、そうである場合には、ストリップ・シンボル期間を、そしてストリップ・シンボルが基地局によって使用されるトーン・サブセット割当てシーケンスを切り捨てるためのリセット・ポイントであるかどうかを特定する情報を含んでいる。ダウンリンク・トーン情報１０４２は、基地局１０００に割当てられたキャリア周波数、トーンの数及び周波数、ストリップ・シンボル期間に割当てられるべきトーン・サブセットのセット、及びスロープ、スロープ・インデックス及びセクタ・タイプのような他のセル及びセクタ特定値を含む情報を含んでいる。
【００６５】
データ１０４８は、ＷＴ１ １２００ピアノードから受け取ったデータ、ＷＴ１ １２００がピアノードに送信されることを希望するデータ、及びダウンリンク・チャネル品質レポート・フィードバック情報を含むことができる。端末ＩＤ １０５０は、ＷＴ１ １２００を識別する基地局１０００に割当てられたＩＤである。セクタＩＤ １０５２は、ＷＴ１ １２００が作動しているセクタを識別する情報を含んでいる。セクタＩＤ １０５２は、例えば、セクタ・タイプを決定するために使用することができる。アップリンク・チャネル情報１０５４は、スケジューラ１０２６によって使用するＷＴ１ １２００に対してスケジューラ１０２６によって割当てられたチャネル・セグメント、例えば、データ、リクエストに対する専用アップリンク制御チャネル、パワー制御、タイミング制御、アクテイブ・ストリームの数等に対するアップリンク・トラフィック・チャネル・セグメントを識別する情報を含んでいる。ＷＴ１ １２００に割当てられた各アップリンク・チャネルは、１つ又は複数の論理的トーンを含んでおり、各論理的トーンは、本発明の種々の態様によるアップリンク・ホッピング・シーケンスに従う。ダウンリンク・チャネル情報１０５６は、ＷＴ１ １２００にデータ及び／又は情報を搬送するためにスケジューラ１０２６によって割当てられたチャネル・セグメント、例えば、ユーザ・データに対するダウンリンク・トラヒック・チャネル・セグメントを識別する情報を含んでいる。ＷＴ１ １２００に割り当てられた各ダウンリンク・チャネルは、それぞれダウンリンク・ホッピング・シーケンスに従う１つ又は複数の論理的トーンを含んでいる。モード情報１０５８は、ＷＴ１ １２００の動作状態、例えば、スリープ、ホールドオンを識別する情報を含んでいる。
【００６６】
通信ルーチン１０２２は、種々の通信動作を行ない、かつ種々の通信プロトコルを実行するように基地局１０００を制御する。基地局制御ルーチン１０２４は、基本的な基地局機能タスク、例えば、信号生成及び受信、スケジューリングを行ない、かつストリップ−シンボル期間の間にトーン・サブセット割当てシーケンスを用いて無線端末に信号を送信することを含むある態様の方法のステップを実行するように基地局１０００を制御するために使用される。
【００６７】
シグナリング・ルーチン１０２８は、復号器１０１２を有する受信機１００２及び符号器１０１４を有する送信機１００４の動作を制御する。シグナリング・ルーチン１０２８は、送信されたデータ１０３６及び制御情報の生成を制御することに関与する。トーン・サブセット割当てルーチン１０３０は、この態様の方法を使用しかつダウンリンク・ストリップ−シンボル時間情報１０４０及びセクタＩＤ １０５２を含むデータ／情報１０２０を使用して、ストリップ−シンボル期間に使用されるトーン・サブセットを構築する。ダウンリンク・トーン・サブセット割当てシーケンスは、１つのセルにおける各セクタ・タイプに対して異なり、かつ隣接したセルに対して異なるであろう。ＷＴ １２００は、ダウンリンク・トーン・サブセット割当てシーケンスに従ってストリップ−シンボル期間に信号を受信する；基地局１０００は、送信された信号を生成するために同じダウンリンク・トーン・サブセット割当てシーケンスを使用する。他のダウンリンク・トーン割当てホッピング・ルーチン１０３２は、ストリップ−シンボル期間以外のシンボル期間の間に、ダウンリンク・トーン情報１０４２、及びダウンリンク・チャネル情報１０５６を用いて、ダウンリンク・トーン・ホッピング・シーケンスを構築する。ダウンリンク・データ・トーン・ホッピング・シーケンスは、１つのセルのセクタを横切って同期される。ビーコン・ルーチン１０３４は、ダウンリンク信号のフレーム・タイミング構造及び従ってトーン・サブセット割当てシーケンスをウルトラスロット境界に対して同期させるために、ビーコン信号、例えば、１つの又は数個のトーンに集中された比較的高いパワーの信号を制御する。
【００６８】
図１１は、ここに記述されるような適応アップリンク・パイロット多重化スキームに関連して利用することができるシステム１１００を例示する。システム１１００は、例えば１又は複数本の受信アンテナから信号を受信し、受信した信号に対して典型的な作用（例えば、フィルタする、増幅する、ダウンコンバートする・・・）を行い、そしてサンプルを得るために調整された信号をデジタル化する受信機１１０２を具備する。復調器１１０４は、チャネル評価のために受信されたパイロット・シンボルを復調しかつプロセッサ１１０６に提供する。
【００６９】
プロセッサ１１０６は、受信機コンポーネント１１０２によって受信された情報を分析すること及び／又は送信機１１１４による送信のための情報を生成すること専用のプロセッサであってもよい。プロセッサ１１０６は、システム１１００の１つ又は複数の部分を制御するプロセッサ、及び／又は受信機１１０２によって受信された情報を分析する、送信機１１１４によって送信するための情報を生成する、そしてシステム１１０の１つ又は複数の部分を制御するプロセッサであってもよい。システム１１００は、１つ又は複数の技術及び／又は周波数に関する測定の実行前、実行時及び／又は実行後にユーザ装置の性能を最適化することができる最適化コンポーネント１１０８を含んでいてもよい。最適化コンポーネント１１０８は、プロセッサ１１０６に組み入れてもよい。最適化コンポーネント１１０８は、測定ギャップの要求に関するユーティリィティベースの分析を行なう最適化コードを含んでもよいことが認識されるべきである。最適化コードは、符号化及び復号化スキームに関連して推論及び／又は確率的決定及び／又は統計ベースの決定を行うことに関連して人工知能ベースの方法を利用してもよい。
【００７０】
システム（ユーザ装置）１１００は、プロセッサ１１０６に動作的に結合されており、測定ギャップ情報、スケジューリング情報、等のような情報を格納するメモリを追加的に具備していてもよく、このような情報は要求測定ギャップを割当てること及び測定ギャップ時に測定を実行することに関連して使用できる。メモリ１１１０は、システム１１００がシステム容量を増加させるために格納されたプロトコル及び／又はアルゴリズムを使用できるように、ルックアップ・テーブル、等を生成することに関連したプロトコルをさらに格納できる。ここに記述されるデータ記憶装置（例えばメモリ）コンポーネントは、揮発性メモリ又は不揮発性メモリのいずれかであってもよく、又は、揮発性及び不揮発性メモリーの両方を含んでもよいことが認識されるであろう。例示としてであって限定としてではなく、不揮発性メモリは読み出し専用メモリ（ＲＯＭ）、プログラマブルＲＯＭ（ＰＲＯＭ）、電気的にプログラマブルＲＯＭ（ＥＰＲＯＭ）、電気的に抹消できるＲＯＭ（ＥＥＰＲＯＭ）あるいはフラッシュ・メモリを含んでもよい。揮発性メモリは、外部キャッシュメモリとして作用するランダムアクセスメモリ（ＲＡＭ）を含んでもよい。例示としてであって限定としてではなく、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）及びダイレクトラムバスＲＡＭ（ＤＲＲＡＭ）のような多くの形式で利用可能である。メモリ１１１０は、限定されることなく、これらの及び他の任意適切なタイプのメモリを備えることを意図されている。プロセッサ１１０６は、変調された信号を送信するシンボル変調器１１１２及び送信機１１１４に接続される。
【００７１】
図１２は、無線端末（例えば、図８に示されたシステム８００のＥＮ（１）８３６）のうちの任意の１つとして使用できる例示的な無線端末（例えば、エンドノード、モバイルデバイス、・・・）１２００を示す。無線端末１２００は、種々の要素１２０２、１２０４、１２０６、１２０８がデータ及び情報を交換することができるバス１２１０によって互いに結合される復号器１２１２を含む受信機１２０２、符号器１２１４を含む送信機１２０４、プロセッサ１２０６及びメモリ１２０８を含んでいる。基地局から信号を受信するために使用されたアンテナ１２０３は、受信機１２０２に結合される。信号を例えば、基地局に送信するために使用されるアンテナ１２０５は、送信機１２０４に結合される。上述のように、種々の修正が可能であることが認識されるべきである。例えば、ＳＵ−ＭＩＭＯシステムでは、基地局及びユーザ装置における複数の送信及び受信アンテナ、受信機、等が使用できる。同様に、ＳＤＭＡシステムでは、複数のユーザは、複数の送信及び受信アンテナ、受信機、等を有する基地局から信号を送信及び受信できる。
【００７２】
プロセッサ１２０６、例えば、ＣＰＵは、ルーチン１２２０を実行しかつメモリ１２０８におけるデータ／情報１２２２を使用することによって、無線端末１２００の動作を制御しかつ方法を実行する。
【００７３】
データ／情報１２２２は、ＯＦＤＭＡ通信システムの例示の場合には、ユーザデータ１２３４、ユーザ情報１２３６、及びトーン・サブセット割当てシーケンス情報１２５０を含む。ユーザデータ１２３４は、送信機１２０４による基地局１０００への送信に先立って符号化するために符号器に送られうる、ピアノードに対して意図サレタ」データと、受信機１２０２における復号器１２１２によって処理された基地局１０００から受信されたデータを含んでもよい。ユーザ情報１２３６は、アップリンク・チャネル情報１２３８、ダウンリンク・チャネル情報１２４０、端末ＩＤ情報１２４２、基地局ＩＤ情報１２４４、セクタＩＤ情報１２４６及びモード情報１２４８を含む。アップリンク・チャネル情報１２３８は、基地局１０００へ送信する場合に使用する無線端末１２００用に対して基地局１０００によって割当てられたアップリンク・チャネル・セグメントを識別する情報を含む。アップリンク・チャネルは、アップリンク・トラヒック・チャネル、専用アップリンク制御チャネル、例えば要求チャネル、パワー制御チャネル及びタイミング制御チャネルを含んでもよい。ＯＦＤＭＡ通信システムの例示の場合には、各アップリンク・チャネルは、１つ又は複数の論理的トーンを含んでおり、各論理的トーンは、アップリンク・トーン・ホッピング・シーケンスに従う。いくつかの実施の形態では、アップリンク・ホッピング・シーケンスは、各セクタ・タイプのセルの間、及び隣接したセルの間で異なる。
【００７４】
ダウンリンク・チャネル情報１２４０は、基地局がＷＴ １２００にデータ／情報を送信している場合の使用のために基地局によってＷＴ １２００に割り当てられたダウンリンク・チャネル・セグメントを識別する情報を含む。ダウンリンク・チャネルは、ダウンリンク・トラヒック・チャネル及び割り当てチャネルを含んでもよく、各ダウンリンク・チャネルは、１つ又は複数の論理的トーンを含み、各論理的トーンは、セルの各セクタ間で同期される、サウンリンク・ホッピング・シーケンスに従う。
【００７５】
ユーザ情報１２３６はまた、基地局１０００割当て識別である端末ＩＤ情報１２４２、ＷＴが通信を確立した特定の基地局１０００を識別する基地局ＩＤ情報１２４４、及びＷＴ１２００が現在位置しているセルの特定のセクタを識別するＩＤ情報１２４６を含む。例示のＯＦＤＭＡ通信システムでは、基地局ＩＤ１２４４は、セル傾斜値（cell slope value）を提供し、そして、セクタＩＤ情報１２４６は、セクタ・インデックス・タイプを提供する；セル傾斜値及びセクタ・インデックス・タイプは、トーン・ホッピング・シーケンスを得るために使用することができる。ユーザ情報１２３６に含まれたモード情報１２４８は、ＷＴ１２００がスリープ・モード、ホールド・モード又はオン・モードにあるかどうかを識別する。
【００７６】
いくつかのＯＦＤＭＡ実施の形態中では、トーン・サブセット割当てシーケンス情報１２５０は、ダウンリンク・ストリップ・シンボル時間情報１２５２及びダウンリンク・トーン情報１２５４を含んでいる。ダウンリンク・トーン情報１２５４は、基地局１０００に割当てられたキャリア周波数、トーンの数及び周波数、及びストリップ・シンボル期間に割当てられるべきトーン・サブセットのセット、及び傾斜、傾斜インデックス及びセクタ・タイプのような他のセル及びセクタ特定値を含んだ情報を含む。
【００７７】
ルーチン１２２０は、通信ルーチン１２２４及び無線端末制御ルーチン１２２６を含んでいる。通信ルーチン１２２４は、ＷＴ１２００によって使用される種々の通信プロトコルを制御する。無線端末制御ルーチン１２２６は、受信機１２０２及び送信機１２０４の制御を含む基本的な無線端末１２００機能を制御する。無線端末制御ルーチン１２２６は、シグナリング・ルーチン１２２８を含んでいる。いくつかのＯＦＤＭＡ実施の形態では、いくつかの実施の形態に従ってダウンリンク・トーン・サブセット割当てシーケンスを生成しかつ基地局１０００から送信された受信データを処理するために、トーン・サブセット割当てルーチン１２３０は、ダウンリンク・チャネル情報１２４０を含む利用者データ／情報１２２２、基地局ＩＤ情報１２４４、例えば、傾斜インデックス及びセクタ・タイプ、及びダウンリンク・トーン情報１２５４を使用する。
【００７８】
いくつかの実施の形態の技法は、ソフトウェア、ハードウェア及び／又は、ソフトウェアとハードウェアの組合わせを使用して実行できる。いくつかの実施の形態は、装置、例えば、モバイル端末のようなモバイルノード、基地局、又はいくつかの実施の形態を実行する通信システムに関する。いくつかの実施の形態はまた、方法、例えば、いくつかの実施の形態による、モバイル・ノード、基地局及び／又は通信システム、例えば、ホストを制御する及び／又は操作する方法に関する。いくつかの実施の形態はまた、いくつかの実施の形態による１つ又は複数のステップを実行する機械を制御するための機械読取り可能命令を含む機械読取り可能媒体、例えば、ＲＯＭ、ＲＡＭ、ＣＤｓ、ハードデイスク、等に関する。
【００７９】
種々の実施の形態において、ここに記述されるノードは、いくつかの実施の形態の１つ又は複数の方法に対応するステップ、例えば、信号処理メッセージ生成及び／又は送信ステップを実行するための１つ又は複数のモジュールを使用して実装される。したがって、いくつかの実施の形態では、いくつかの実施の形態の種々の特徴は、モジュールを使用して実行される。そのようなモジュールは、ソフトウェア、ハードウェアあるいはソフトウェアとハードウェアの組み合わせを使用して実装できる。上記の上記方法又は方法ステップの多くは、１つ又は複数のノードにおいて、上述の方法のすべて又は一部を実行するために、機械、例えば、付加的ハードウエアを有する又は有しない汎用コンピュータを制御するためのメモリ装置、例えば、ＲＡＭ、フロッピー（登録商標）ディスク、等のような機械読取り可能媒体に含まれるソフトウエアのような機械実行可能命令を使用して実行できる。従って、とりわけ、いくつかの実施の形態は、機械、例えば、プロセッサ及び関連ハードウエアに上記の方法のステップのうちの１つ又はそれより多くを行わせるための機械実行可能命令を含む機械読取り可能媒体に関する。
【００８０】
上述されたいくつかの実施の形態の方法及び装置に対する多数の付加的変更は、いくつかの実施の形態の上記の説明を考慮して当業者には明白になるであろう。そのような変更は、それぞれの実施の形態の範囲内にあると考えられるべきである。いくつかの実施の形態の方法及び装置は、ＣＤＭＡ、直交周波数分割多重化（ＯＦＤＭ）、ＳＣ−ＦＤＭＡ、及び／又はアクセス・ノードとモバイル・ノードの間に無線通信リンクを提供するために使用できる種々の他のタイプの通信技術に対して使用でき、かつ種々の実施の形態で使用される。いくつかの実施の形態では、アクセス・ノードは、ＯＦＤＭ及び／又はＣＤＭＡを使用して、モバイル・ノードとの通信リンクを確立する基地局として実行される。種々の実施の形態において、モバイル・ノードは、いくつかの実施の形態の方法の実現のために、ノート型コンピュータ、携帯情報端末（ＰＤＡ）又は受信機／送信機回路及びロジック及び／又はルーチンを含む他の携帯機器として実行される。
【００８１】
ここに記述される１つ又は複数の態様によれば、アップリンク・パイロット・チャネル情報を決定すること関して推論を行なえることができることが認識されるであろう。ここに使用されるように、「推論する」又は「推論」という用語は、事象及び／又はデータによって捕らえられるような１つのセットの観察から、システム、環境、及び／又はユーザ、モバイルデバイス、アクテイブ・アップリンク・ストリーム、及び基地局の状態について推理又は推論するプロセスを一般的に指す。推論は、特定の文脈又はアクションを識別するために使用することができるか、あるいは、例えば、状態に関する確率分布を生成することができる。推論は、確率論的、すなわち、データ及び事象の考察に基づいた関心状態に対する確率分布の計算であってもよい。推論は、１つのセットの事象及び／又はデータで高いレベルの事象を構成するために使用される技術を指すこともできる。そのような推論は、事象が親密な時間的近接性をもって関連付けられているかどうかに関係なく、また、事象及びデータがいくつかの事象及びデータ源の１つから来ているかどうかに関係なく、１つのセットの観察された事象及び／又は格納された事象データから新しい事象又はアクションの構築を生ずる。
【００８２】
１つの実例によれば、上記に提示された１つ又は複数の方法は、適応アップリンク・パイロット多重化を促進するためにアクテイブ・アップリンク・ストリームを決定することに関する推論を行なうことを含むことができる。他の実例によれば、推論は、１つのセットのアップリンク・パイロット信号に基づいて、所望の信号が１つ又は複数の所望されない信号から弁別可能である確率を評価することに関連して推論が行なわれてもよい。上記の実例は、本来例示的であり、行なわれうる推論の回数又はそのような推論がここに記述される種々の実施の形態及び／又は方法に関連して行われる態様を制限することは意図されていないことが認識されるであろう。
【００８３】
図１３は、本発明の種々の態様に従って適応アップリンク・パイロット多重化を組込んだ通信システムの例示的であり制限的でないブロック図を例示しており、送信機システム１３１０（例えば、基地局、アクセス・ポイントなど）及び受信機システム１３５０（アクセス端末、ユーザ装置、モバイル・ノードなど）はＭＩＭＯシステム１３００内にある。送信機システム１３１０では、多くのデータ・ストリームに対するトラヒック・データが、データ・ソース１３１２から送信（ＴＸ）データ・プロセッサ１３１４に提供される。１つの実施の形態では、各データ・ストリームはそれぞれの送信アンテナを通して送信される。ＴＸデータ・プロセッサ１３１４は、符号化されたデータを提供するために、各データ・ストリームに対するトラヒック・データを、そのデータに対して選択された特定の符号化スキームに基づいて、フォーマット化し、符号化し、そしてインターリーブする。本発明の種々の実施の形態によれば、送信機システム１３１０は、受信機システム１３５０にアップリンク・パイロット・チャネル情報（例えば、アクテイブ・ストリームの数及び／又は指示開始周波数位置、利用可能なＲＢｓの数、それらの任意の組合せ、及び／又は同様のもの）を送信することによって適応パイロット多重化スキームを促進する。
【００８４】
各データ・ストリームに対する符号化されたデータは、ＯＦＤＭ技術を使用して、パイロット・データで多重化することができる。パイロット・データは通常、公知の態様で処理される既知のデータ・パターンであり、チャネル応答を評価するために受信機システムにおいて使用できる。その後、各データ・ストリームに対する多重化されたパイロット及び符号化されたデータは、変調シンボルを提供するためにそのデータ・ストリームに対して選択された特定の変調スキーム（例えば、ＢＰＳＫ、ＱＳＰＫ、Ｍ−ＰＳＫ又はＭ−ＱＡＭ）に基づいて変調される（すなわち、シンボル・マッピングされる）。各データ・ストリームに対するデータ転送速度、符号化及び変調は、プロセッサ１３３０によって実行される命令によって決定されてもよい。
【００８５】
その後、すべてのデータ・ストリームに対する変調シンボルは、変調シンボル（例えばＯＦＤＭのための）を処理しうるＴＸ ＭＩＭＯプロセッサ１３２０に提供される。その後、ＴＸ ＭＩＭＯプロセッサ１３２０は、ＮＴ変調シンボル・ストリームをＮＴ送信機（ＴＭＴＲ）１３２２ａ−１３２２ｔに提供する。ある実施の形態では、ＴＸ ＭＩＭＯプロセッサ１３２０は、データ・ストリームのシンボルと、シンボルが送信されているアンテナとにビームフォーミング重みを適用する。
【００８６】
各送信機１３２２は、１つ又は複数のアナログ信号を提供するためにそれぞれのシンボル・ストリームを処理し、そして、ＭＩＭＯチャネルを通じての送信に適した変調信号を提供するために、アナログ信号をさらに調整する（例えば、増幅する、フィルタする、及びアップコンバートする）。その後、送信機１３２２ａ−１３２２ｔからのＮＴ変調信号はそれぞれ、ＮＴアンテナ１３２４ａ−１３２４ｔから送信される。
【００８７】
受信機システム１３５０では、送信された変調信号は、ＮＲアンテナ１３５２ａ−１３５２ｒによって受信され、そして、各アンテナ１３５２からの受信信号は、各受信機（ＲＣＶＲ）１３５４ａ−１３５４ｒに提供される。各受信機１３５４は、各受信信号を調整し（例えば、フィルタする、増幅する、及びダウンコンバートする）、サンプルを提供するために、その調整された信号をデジタル化し、そして対応する「受信された」シンボル・ストリームを提供するために、そのサンプルをさらに処理する。
【００８８】
その後、ＲＸデータ・プロセッサ１３６０は、ＮＴ「検知された」ストリーム・ストリームを提供するために、特定の受信機処理技術に基づいて、ＮＲ受信機１３５４からのＮＲ受信シンボル・ストリームを受信しかつ処理する。その後、ＲＸデータ・プロセッサ１３６０は、データ・ストリームに対するトラヒック・データを回復するために各検出されたシンボル・ストリームを復調し、デインターリーブし、そして復号する。ＲＸデータ・プロセッサ１３６０による処理は、送信機システム１３１０におけるＴＸ ＭＩＭＯプロセッサ１３２０及びＴＸデータ・プロセッサ１３１４によって行なわれるものと相補的である。
【００８９】
プロセッサ１３７０は、上記のようにどの予備符号化マトリックスを使用するか周期的に決定する。プロセッサ１３７０は、マトリックス・インデックス部分及びランク値部分を含む逆方向リンク・メッセージを策定する。逆方向リンク・メッセージは、通信リンク及び／又は受信データ・ストリームに関する種々のタイプの情報を含んてもよい。本発明の種々の態様によれば、送信機システム１３１０からのそれぞれのアップリンク・パイロット・チャネル情報を得ることに応答して、受信機システム１３５０は、アクテイブ・ストリームの数の所定の関数に従ってパイロット・チャネル帯域幅及び周波数位置を時間的に変更することにより、パイロットを適応的に多重化する。その後、逆方向リンク・メッセージは、データ・ソース１３３６からの多数のデータ・ストリームに対するトラヒック・データをも受信するＴＸデータ・プロセッサ１３３８によって処理され、変調器１３８０によって変調され、送信機１３５４ａ１−１３５４ｒによって調整され、そして送信機システム１３１０に送信される。
【００９０】
送信機システム１３１０では、受信機システム１３５０からの変調信号は、アンテナ１３２４によって受信され、受信機１３２２によって調整され、復調器１３４０によって復調され、受信機システム１３５０によって送信された逆方向リンク・メッセージを抽出するためにＲＸデータ・プロセッサ１３４２によって処理される。その後、プロセッサ１３３０は、ビームフォーミング重みを決定するためにどの予備符号化マトリクスを使用するかを決定し、抽出されたメッセージを処理する。本発明の種々の態様によれば、受信機システム１３５０から多重化されたパイロットを受信したことに応答して、送信機システム１３１０は、所定の関数及び各アップリンク・パイロット・チャネル情報に従って、多重化されたパイロット・チャネルを逆多重化する。
【００９１】
図１４を参照すると、本発明の種々の非限定的な実施の形態に従って適応アップリンク・パイロット多重化を促進する装置１４００が例示されている。例えば、装置１４００は、基地局内に少なくとも部分的に存在してもよい。装置１４００は、プロセッサ、ソフトウエア、又はそれらの組合せ（例えば、ファームウエア）によって実行される機能を表わす機能ブロックであってもよい機能ブロックを含むとして表示されていることが認識されるべきである。装置１４００は、合同して作用する電気的コンポーネントの論理的グルーピング１４０２を含む。例えば、論理的グルーピング１４０２は、基地局１４０４においてアップリンク・パイロット・チャネル情報の決定しかつ送信するための電気的コンポーネントを含んでもよい。例示かつ非限定の目的のために、アップリンク・パイロット・チャネル情報は、多重化されるべき１つ又は複数のアクテイブ・ストリームの数、利用可能なソース・ブロックの数、及び／又はパイロット開始周波数位置、それらの任意の組合せ、及び／又は同様のものを含んでもよい。さらに、論理的グルーピング１４０２は、図４、６、７に関して上記にさらに詳細に記述されたように適応的に多重化されたパイロット１４０６を受信するための電気的コンポーネントを含んでいてもよい。１つの実例によれば、多重化パイロットは、時間とともに１つのブロック当たりの変化するパイロット・チャネル帯域幅及び周波数位置を有するパイロットを含んでもよい。さらに、各アクテイブ・ストリームに対する多重化パイロットの周波数位置は、
時間的に連続周波数ブロックを形成するためにブロックを横切って周期的にシフト（shifted）されうる。論理的グルーピング１４０２は、アップリンク・パイロット・チャネル情報１４０８の所定の関数に従って受信パイロットを逆多重化するための電気的コンポーネントをさらに含んでもよい。さらに、論理的グルーピングは、ブロック当たりに直交する態様でアクテイブ・ストリームごとに各パイロットを周波数分割多重化するための電気的コンポーネント（図示なし）を含んでもよい。さらに、装置１４００は、電気的コンポーネント１４０４、１４０６及び１４０８に関連した機能を実行するための命令を保持するメモリ１４１０を含んでもよい。メモリ１４１０の外側にあることとして示されたが、電気的コンポーネント１４０４、１４０６及び１４０８の１つ以上がメモリ１４１０内に存在してもよいことが理解されるべきである。
【００９２】
図１５を参照すると、本発明の種々の限定しない実施の形態に従って適応アップリンク・パイロット多重化を可能にする装置１５００が例示されている。装置１５００は、例えば、無線端末内に少なくとも部分的に存在してもよい。装置１５００は、プロセッサ、ソフトウエア、又はそれらの組合せ（ファームウエア）によって実行される機能を表わす機能的ブロックであってもよい機能的ブロックを含むとして表示されていることが認識されるべきである。装置１５００は、合同して作用しうる電気的コンポーネントの論理的グルーピング１５０２を含む。例えば、論理的グルーピング１５０２は、アップリンク・パイロット・チャネル情報１５０４を受信しかつ処理するための電気的コンポーネントを含んでもよい。例えば、電気的コンポーネント１５０４は、図１４に関して上に記述されたようにアップリンク・パイロット・チャネル情報を受信しかつ処理するための電気的コンポーネントを含んでもよい。さらに、論理的グルーピング１５０２は、図４、６，７に関して上記にさらに詳細に記述されたように、アップリンク・パイロット・チャネル情報１５０６に応じてブロック当たりのパイロット帯域幅及び周波数位置を周期的に変更することによってアップリンク・パイロットを適応的に多重化するための電気的コンポーネントを含んでもよい。さらに、論理的グルーピング１５０２は、ブロック当たりの直角的な態様でアクテイブ・ストリームごとにアップリンク・パイロットを周波数分割多重化するための電気的コンポーネント（図示なし）を含んでいてもよい。さらに、論理的グルーピング１４０２は、適応的に多重化されたアップリンク・パイロット１５０８を送信するための電気的コンポーネントを含んでもよい。例えば、電気的コンポーネント１５０８は、短いブロック当たりに変化するパイロット・チャネル帯域幅及び周波数位置を有する適応的に多重化されたパイロットを送信するための電気的コンポーネントを含んでもよい。さらに、装置１５００は、電気的コンポーネント１５０４、１５０６及び１５０８に関連した機能を実行するための命令を保持するメモリ１５１０を含んでいてもよい。メモリ１５１０の外側にあるして示されているが、電気的コンポーネント１５０４、１５０６及び１５０８の１つ以上がメモリ１５１０内に存在してもよいことが理解されるべきである。
【００９３】
ここに記述される実施の形態は、ハードウェア、ソフトウェア、ファームウェア、ミドルウェア、マイクロコード、又はそれらの任意の組合せによって実行されてもよいことが理解されるべきである。ハードウェア実行では、ユーザ装置又はネットワーク・デバイス内の処理ユニットは、１つ又は複数の特定用途集積回路（ＡＳＩＣｓ）、デジタル信号プロセッサ（ＤＳＰｓ）、デジタル信号処理デバイス（ＤＳＰＤｓ）、プログラム可能論理回路（ＰＬＤ）、フィールドプログラム可能なゲートアレー（ＦＰＧＡ）、プロセッサ、コントローラ、マイクロ・コントローラ、マイクロプロセッサー、ここに記述された機能を実行するように設計された他の電子ユニット、又はそれらの組合せ内で実行されてもよい。
【００９４】
ここに記述されたシステム及び／又は方法がソフトウェア、ファームウェア、ミドルウェア又はマイクロコード、プログラム・コード又はコード・セグメントで実行される場合には、それらは記憶コンポーネントのような機械読取り可能媒体に格納されてもよい。コード・セグメントは、手順、関数、サブプログラム、プログラム、ルーチン、サブルーチン、モジュール、ソフトウエア・パッケージ、クラス、又は命令、データ構造、又はプログラム・ステートメントの任意の組合せを表してもよい。コード・セグメントは、情報、データ、引き数、パラメータあるいは記憶内容を通すこと及び／又は受け取ることによって他のコード・セグメント又はハードウエア回路に結合されてもよい。情報、引き数、パラメータ、データ、等は、メモリ・シェアリング、メッセージ・パッシング、トークン・パッシング、ネットワーク送信、等を含む任意適切な手段を使用して、パスされ（passed）、フォワードされ（forwarded）又は送信されてもよい。
【００９５】
ソフトウェア実行では、ここに記述された技術は、ここに記述された機能を行なうモジュール（例えば、手順、関数、等）で実行されてもよい。ソフトウェア・コードは、メモリ・ユニットに格納され、プロセッサによって実行されてもよい。メモリ・ユニットは、プロセッサ内で又はプロセッサの外側でに実行されてもよく、その場合には、それは、種々の手段によって通信的に結合される。
【００９６】
上述されたものは、開示された主題の例を含んでいる。そのような主題を記述する目的のためにコンポーネント又は方法論のすべての考えられる組合せを記述するは、もちろん、可能ではないが、多くの他の組合せ及び置換が可能であることを当業者は認識しうる。従って、主題は、添付された請求項の精神及び範囲以内にあるような変更、修正及び変化をすべて包含するように意図される。さらに、「含む」（"includes"）という用語が詳細な説明又は請求項で使用されている範囲で、その用語は、請求項において遷移語として用いられている場合の「備える」（"comprising"）という用語と同様の態様で包括的であると意図される。
【００９７】
関連出願の相互参照
本出願は、全体がここに参照により取り入れられる、２００６年１０月１０日に提出された「シングルユーザＭＩＭＯ及びＳＤＭＡにおけるアップリンク・パイロット多重化のための方法及び装置」という名称の米国仮特許出願第60/850,942号からの35 U.S.C. Section 119に基づく優先権の利益を主張する。
【図１】
2010506543.tif 000003
【図２】
2010506543.tif 000004
【図３Ａ】
2010506543.tif 000005
【図３Ｂ】
2010506543.tif 000006
【図４】
2010506543.tif 000007
【図５】
2010506543.tif 000008
【図６】
2010506543.tif 000009
【図７】
2010506543.tif 000010
【図８】
2010506543.tif 000011
【図９】
2010506543.tif 000012
【図１０】
2010506543.tif 000013
【図１１】
2010506543.tif 000014
【図１２】
2010506543.tif 000015
【図１３】
2010506543.tif 000016
【図１４】
2010506543.tif 000017
【図１５】
2010506543.tif 000018
【国際調査報告】
2010506543.tif 000019
2010506543.tif 000020